(57)【特許請求の範囲】
【請求項１】
供給混合液から多価不飽和脂肪酸（ＰＵＦＡ）生成物を回収するためのクロマトグラフィー分離方法であって、
前記供給混合液を、溶離剤として水性有機溶媒を含む複数の連結したクロマトグラフィーカラムを有する１つまたは複数の擬似または実移動床式クロマトグラフィー装置に前記供給混合液を導入することを含み、
前記供給混合液が通過する前記クロマトグラフィーカラムのうちの少なくとも１個の温度が３５℃を超える、前記方法。
【請求項２】
前記１個または複数のクロマトグラフィーカラムが、吸着剤として、ポリマービーズまたはシリカゲルを含む、請求項１に記載の方法。
【請求項３】
前記溶離剤が超臨界状態でない、請求項１または２に記載の方法。
【請求項４】
前記クロマトグラフィーカラムのうちの少なくとも１個の室温を超える温度が、前記水性有機溶媒の溶離剤および／または供給混合液を、室温を超える温度に加熱することによって達成される、請求項１〜３のいずれか一項に記載の方法。
【請求項５】
前記クロマトグラフィーカラムのうちの少なくとも１個の温度が４０℃を超える、請求項１〜４のいずれか一項に記載の方法。
【請求項６】
前記クロマトグラフィーカラムのうちの少なくとも１個の温度が１００℃までである、請求項１〜５のいずれか一項に記載の方法。
【請求項７】
前記クロマトグラフィーカラムのうちの少なくとも１個の温度が７０℃までである、請求項１〜６のいずれか一項に記載の方法。
【請求項８】
前記クロマトグラフィーカラムのうちの少なくとも１つの温度が４０から７０℃である、請求項１〜７のいずれか一項に記載の方法。
【請求項９】
前記クロマトグラフィーカラムのうちの少なくとも１つの温度が５７から６３℃である、請求項１〜８のいずれか一項に記載の方法。
【請求項１０】
前記ＰＵＦＡ生成物が少なくとも１つのω−３ＰＵＦＡを含む、請求項１〜９のいずれか一項に記載の方法。
【請求項１１】
前記ＰＵＦＡ生成物がＥＰＡもしくはＥＰＡ誘導体および／またはＤＨＡもしくはＤＨＡ誘導体を含む、請求項１０に記載の方法。
【請求項１２】
前記ＰＵＦＡ生成物がＥＰＡまたはＥＰＡエチルエステル（ＥＥ）を含む、請求項１１に記載の方法。
【請求項１３】
（ｉ）第一分離ステップにおいて、溶離剤として水性有機溶媒を含む複数の連結したクロマトグラフィーカラムを有する擬似または実移動床式クロマトグラフィー装置で供給混合液を精製して、中間生成物を得るステップと、
（ｉｉ）第二分離ステップにおいて、溶離剤として水性有機溶媒を含む複数の連結したクロマトグラフィーカラムを有する擬似または実移動床式クロマトグラフィー装置を使用して（ｉ）で得られた中間生成物を精製して、ＰＵＦＡ生成物を得るステップとを含み、
第一分離ステップの複数の連結したクロマトグラフィーカラムのうちの１個もしくは複数の温度および／または第二分離ステップの複数の連結したクロマトグラフィーカラムのうちの１個もしくは複数の温度が室温を超え、
（ａ）第一および第二分離ステップが同じクロマトグラフィー装置で順次行われ、中間生成物が第一と第二の分離ステップの間で回収され、クロマトグラフィー装置のプロセス条件が、各分離ステップで供給混合液の異なる成分からＰＵＦＡ生成物が分離されるように、第一と第二の分離ステップの間で調整される、または
（ｂ）第一および第二分離ステップが、別々の第一および第二クロマトグラフィー装置でそれぞれ行われ、第一分離ステップから得られた中間生成物が第二クロマトグラフィー装置に導入され、各分離ステップで供給混合液の異なる成分からＰＵＦＡ生成物が分離される、請求項１〜１２のいずれか１項に記載の方法。
【請求項１４】
全ての前記クロマトグラフィーカラムの温度が室温を超える、請求項１〜１３のいずれか１項に記載の方法。
【請求項１５】
各装置が、前記複数の連結したクロマトグラフィーカラムから液体が収集され得る抽出液流および抽残液流を有する、請求項１〜１４のいずれか一項に記載の方法。
【請求項１６】
前記溶離剤が、有機溶媒と水の総重量に基づいて、５重量％を超える水を含む、請求項１〜１５のいずれか一項に記載の方法。
【請求項１７】
前記溶離剤が、水と、アルコール、エーテル、エステル、ケトン、またはニトリルとの混合液である、請求項１〜１６のいずれか一項に記載の方法。
【請求項１８】
前記溶離剤が水とメタノールの混合液である、請求項１７に記載の方法。
【請求項１９】
前記方法が、溶離剤として水性アルコールを含む複数の連結したクロマトグラフィーカラムを有する擬似または実移動床式クロマトグラフィー装置に前記供給混合液を導入することを含むとき、前記装置が、少なくとも第一ゾーンおよび第二ゾーンを含む複数のゾーンを有し、各ゾーンが、前記複数の連結したクロマトグラフィーカラムから液体が収集され得る抽出液流および抽残液流を有し、（ａ）より極性が高い成分とともにＰＵＦＡ生成物を含む抽残液流が、第一ゾーンのカラムから収集され、第二ゾーンの隣接していないカラムに導入され、かつ／または（ｂ）より極性が低い成分とともにＰＵＦＡ生成物を含む抽出液流が、第二ゾーンのカラムから収集され、第一ゾーンの隣接していないカラムに導入され、前記ＰＵＦＡ生成物が、各ゾーンで供給混合液の異なる成分から分離され、複数の連結したクロマトグラフィーカラムのうちの少なくとも１個の温度が５５℃を超える、請求項１に記載のクロマトグラフィー分離方法。
【請求項２０】
前記複数の連結したクロマトグラフィーカラムのうちの少なくとも１個の温度が５６℃以上である、請求項１９に記載のクロマトグラフィー分離方法。
【請求項２１】
前記供給混合液が魚油供給原料または魚油に由来する供給原料であり、前記ＰＵＦＡ生成物がＥＰＡまたはＥＰＡエチルエステルであり、９０％を超える純度で前記ＰＵＦＡ生成物が生成される、請求項１〜２０のいずれか一項に記載の方法。
【請求項２２】
９５％を超える純度で前記ＰＵＦＡ生成物が生成される、請求項２１に記載の方法。
【請求項２３】
９７％を超える純度で前記ＰＵＦＡ生成物が生成される、請求項２１に記載の方法。
【請求項２４】
前記ＰＵＦＡ生成物が、ＤＨＡまたはＤＨＡ誘導体を含み、前記誘導体が、ＤＨＡのモノ−もしくはジ−グリセリド、エステル、リン脂質、アミド、ラクトン、または塩である、請求項１〜１１および１３〜１８のいずれか一項に記載の方法。
【請求項２５】
前記供給混合液が、前記１個または複数のクロマトグラフィーカラムを通過する前に、グリセリドのエステル転移反応またはグリセリドの加水分解を受ける、請求項２４に記載の方法。
【請求項２６】
前記誘導体がＤＨＡのエステルである、請求項２４または２５に記載の方法。
【請求項２７】
前記エステルがエチルエステルである、請求項２６に記載の方法。
【請求項２８】
前記ＰＵＦＡ生成物が、ＰＵＦＡまたはＰＵＦＡ誘導体を含み、前記誘導体が、ＰＵＦＡのモノ−もしくはジ−グリセリド、エステル、リン脂質、アミド、ラクトン、または塩であり、
前記供給混合液が、前記１個または複数のクロマトグラフィーカラムを通過する前に、グリセリドのエステル転移反応またはグリセリドの加水分解を受ける、請求項１に記載の方法。
【請求項２９】
前記誘導体が、前記ＰＵＦＡのエステルである、請求項２８に記載の方法。
【請求項３０】
前記エステルが、エチルエステルである、請求項２９に記載の方法。
【発明の詳細な説明】
【技術分野】
【０００１】
本発明は、多価不飽和脂肪酸（ＰＵＦＡ）およびその誘導体を精製するための改善されたクロマトグラフィー分離方法に関する。特に、本発明は、使用される溶離剤量の低減を可能にする、改善されたクロマトグラフィー分離方法に関する。
【背景技術】
【０００２】
脂肪酸、特にＰＵＦＡおよびその誘導体は生物学的に重要な分子の前駆物質であり、それらは、血小板凝集、炎症および免疫応答などの生物機能の調節において重要な役割を果たす。したがって、ＰＵＦＡおよびその誘導体は、ＣＮＳ状態；糖尿病性神経症を含めた神経障害；心血管疾患；炎症性皮膚疾患を含めた全身免疫系および炎症状態が含まれる幅広い病態を治療する上で、治療的に有用であり得る。
【０００３】
ＰＵＦＡは、植物油および海産油などの天然原料に見出される。しかし、そうしたＰＵＦＡは、飽和脂肪酸および多くの他の不純物との混合状態でそうした油中に存在することが多い。したがって、ＰＵＦＡは、栄養学的または医薬的に使用する前に、望ましくは精製されるべきである。
【０００４】
残念ながらＰＵＦＡは極めて脆弱である。したがって、酸素の存在下で加熱すると、それらは、異性化、過酸化およびオリゴマー化しやすい。したがって、純粋な脂肪酸を調製するためのＰＵＦＡ生成物の分画および精製は困難である。真空下でさえ、許容できない生成物分解が蒸留によって起こり得る。
【０００５】
クロマトグラフィー分離手法は当業者に周知である。固定床式システムおよび擬似または実移動床式システムを含むクロマトグラフィー分離手法は、両方とも当業者に熟知されている。
【０００６】
従来の固定床式クロマトグラフィーシステムでは、成分が分離される混合液が容器に浸透する。この容器は、通常円筒形であり、典型的にはカラムと称される。カラムは、高い流体透過性を示す、（通常、固定相と呼ばれる）多孔性材料の充填物を含む。混合液の各成分の浸透速度はその成分の物理的性質に依存し、その結果連続的におよび選択的にカラムから成分が出る。したがって、固定相に強く固定する傾向があるために緩徐に浸透する成分もあれば、弱く固定する傾向があり、カラムからより急速に出る成分もある。多くの異なる固定床式クロマトグラフィーシステムが提案されており、分析および工業生産の両方の目的に使用されている。
【０００７】
擬似および実移動床式クロマトグラフィーは既知の手法であり、当業者に熟知されている。動作の原理は、液体溶離剤相および固体吸着剤相の向流移動を含む。この動作は、この方法が、最小限の溶媒の使用によって採算がとれるようになることを可能にする。そうした分離技術は、炭化水素、工業化学物質、油、糖およびＡＰＩを含めた多様な分野において、いくつかの適用を見出してきた。
【０００８】
したがって、擬似移動床式クロマトグラフィー装置は、互いに連続してつながれた、吸着剤を含むいくつかの個々のカラムからなる。溶離剤は、第一の方向でカラムを通過させられる。このシステムの供給原料および溶離剤の注入ポイントならびに分離した成分の収集ポイントは、一連の弁によって周期的にシフトされる。全体的な効果は、固形吸着剤の移動床を含む単一カラムの動作を擬似することであり、固形吸着剤は溶離剤の流れに対して向流方向に移動する。したがって、擬似移動床システムは、従来の固定床式システムのように、溶離剤が通過させられる固形吸着剤の固定床を含むカラムからなるが、擬似移動床システムでは、動作は、連続向流移動床を擬似するようなものである。
【０００９】
典型的な擬似移動床式クロマトグラフィー装置を、図１を参照して例示する。擬似または実移動床式クロマトグラフィー分離方法のコンセプトは、複数のセクションに、より正確には、カラムの底部から頂部に至る、重ねられた４つのサブゾーンＩ、ＩＩ、ＩＩＩおよびＩＶに分けられた固定相Ｓを含む垂直のクロマトグラフィーカラムを考えることによって説明される。溶離剤は、ポンプＰによってＩＥにおいて底部で導入される。分離すべき成分ＡおよびＢの混合液は、サブゾーンＩＩとサブゾーンＩＩＩの間のＩＡ＋Ｂで導入される。主にＢを含む抽出液は、サブゾーンＩとサブゾーンＩＩの間のＳＢで収集され、主にＡを含む抽残液はサブゾーンＩＩＩとサブゾーンＩＶの間のＳＡで収集される。
【００１０】
擬似移動床システムの場合は、固定相Ｓの擬似下方移動は、導入および収集ポイントが固相に対して移動することによって引き起こされる。実移動床式システムの場合は、固定相Ｓの擬似下方移動は、様々なクロマトグラフィーカラムが導入および収集ポイントに対して移動することによって引き起こされる。図１では、溶離剤は上方に流れ、混合液Ａ＋ＢはサブゾーンＩＩとサブゾーンＩＩＩの間に注入される。成分は、クロマトグラフィーの固定相とのその相互作用、例えば多孔性媒体への吸着に従って移動することになる。固定相に対してより強い親和性を示す成分Ｂ（より緩徐な移動成分）はより緩徐に溶離剤によって引きずられ、遅れてその後に続くことになる。固定相に対してより弱い親和性を示す成分Ａ（より速い移動成分）は、溶離剤によって容易に引きずられることになる。適切なパラメーターセット、特に各サブゾーンの流速が正確に推定および制御される場合は、固定相に対してより弱い親和性を示す成分Ａは、サブゾーンＩＩＩとサブゾーンＩＶの間に抽残液として収集されることになり、固定相に対してより強い親和性を示す成分Ｂは、サブゾーンＩとサブゾーンＩＩの間に抽出液として収集されることになる。
【００１１】
したがって、図１に概略的に図示する従来の擬似移動床システムは二成分分画に限定されることが認識されるであろう。
【００１２】
擬似移動床式クロマトグラフィーのための方法および設備は、その全体が参照により本明細書に組み込まれる、ＵＳ２，９８５，５８９、ＵＳ３，６９６，１０７、ＵＳ３，７０６，８１２、ＵＳ３，７６１，５３３、ＦＲ−Ａ−２１０３３０２、ＦＲ−Ａ−２６５１１４８およびＦＲ−Ａ−２６５１１４９を含めたいくつかの特許に記載されている。このトピックは、その全体が参照によって本明細書に組み込まれる、「Preparative and Production Scale Chromatography」、GanetsosおよびBarker編、Marcel Dekker Inc、New York、1993においても詳細に論じられている。
【００１３】
実移動床式システムは、擬似移動床システムに動作が類似している。しかし、供給混合液および溶離剤の注入ポイントならびに分離した成分の収集ポイントを弁のシステムによってシフトするのではなく、その代わりに、一連の吸着ユニット（すなわちカラム）を供給および排出ポイントに対して物理的に移動する。重ねて、動作は連続向流移動床を擬似するようなものである。
【００１４】
実移動床式クロマトグラフィーのための方法および設備は、その全体が参照により本明細書に組み込まれる、ＵＳ６，９７９，４０２、ＵＳ５，０６９，８８３およびＵＳ４，７６４，２７６を含めたいくつかの特許に記載されている。
【００１５】
ＰＵＦＡ生成物の精製は特に難易度が高い。したがって、ＰＵＦＡ生成物を調製するための多くの適切な供給原料は、クロマトグラフィー装置において非常に類似した保持時間を有する多くの異なる成分を含む、極めて複雑な混合液である。したがって、そうした供給原料から治療的に有用なＰＵＦＡを分離することは非常に困難である。しかし、高純度のＰＵＦＡ生成物が、特に医薬品および栄養補助食品適用のために必要とされる。したがって歴史的に、高純度のＰＵＦＡ生成物が必要とされる場合は、蒸留が使用されてきた。しかし、上記で論じたデリケートなＰＵＦＡのための分離手法として蒸留を使用することには重大な欠点がある。
【００１６】
一般に、ＰＵＦＡを分離するためのクロマトグラフィー分離手法は全て、溶離剤として大量の有機溶媒を利用する。クロマトグラフィー分離工程が完了した後、ＰＵＦＡを溶離剤中の溶液から回収しなければならない。典型的には、溶離剤中の溶液からＰＵＦＡを回収するのには、時間およびエネルギーの大きな消費が必要となる。さらに、クロマトグラフィー分離方法で溶離剤として使用する有機溶媒は、環境またはそれを取り扱っている作業者にしばしば有害である。したがって、使用する必要がある有機溶媒の量を低減するクロマトグラフィー分離方法が必要とされる。
【００１７】
上記で論じたように、ＰＵＦＡを含む適切な市販の供給原料、例えば魚油は、クロマトグラフィー装置において非常に類似した保持時間を有する多くの異なる成分を典型的には含む。したがって、類似した保持時間を有する供給混合液の成分間の分解能を改善するクロマトグラフィー分離方法に対する要求もある。
【発明の概要】
【課題を解決するための手段】
【００１８】
上記の室温を超える温度で行われるクロマトグラフィー分離方法は有機溶媒の溶離剤が少なくて済むということが、好都合なことに見出されている。したがって、高温では、商業的に関心のある多くのＰＵＦＡの保持時間が実質的に減少し、ひいては、このことは、種々の異なるＰＵＦＡを含む混合液、例えば魚油供給原料または魚油に由来する供給原料を分離するのに、より少ない有機溶媒の溶離剤を使用しなければならいことを意味する。
【００１９】
水性有機溶媒を利用するクロマトグラフィー分離方法において使用する水の量を増大させると、供給混合液に存在する、類似した保持時間を有する成分の分解能が改善することも好都合なことに見出されている。このことは、より高い水分含有量を有する溶離剤によって、供給混合液からＰＵＦＡ生成物をより純粋に分離することが可能になることを意味する。
【００２０】
したがって、本発明は、供給混合液から多価不飽和脂肪酸（ＰＵＦＡ）生成物を回収するためのクロマトグラフィー分離方法であって、供給混合液を、溶離剤として水性有機溶媒を含む１個または複数のクロマトグラフィーカラムを通過させることを含み、供給混合液が通過するクロマトグラフィーカラムのうちの少なくとも１個の温度が室温を超える方法を提供する。
なお、本発明には、以下の態様も含まれることを付記する。
〔１〕
供給混合液から多価不飽和脂肪酸（ＰＵＦＡ）生成物を回収するためのクロマトグラフィー分離方法であって、供給混合液を、溶離剤として水性有機溶媒を含む１個または複数のクロマトグラフィーカラムを通過させることを含み、
供給混合液が通過するクロマトグラフィーカラムのうちの少なくとも１個の温度が室温を超える方法。
〔２〕
溶離剤が超臨界状態でない、〔１〕に記載の方法。
〔３〕
クロマトグラフィーカラムのうちの少なくとも１個の室温を超える温度が、水性有機溶媒の溶離剤および／または供給混合液を、室温を超える温度に加熱することによって達成される、〔１〕または〔２〕に記載の方法。
〔４〕
クロマトグラフィーカラムのうちの少なくとも１個の温度が３０℃を超える、好ましくは４０℃を超える、〔１〕〜〔３〕のいずれかに記載の方法。
〔５〕
クロマトグラフィーカラムのうちの少なくとも１個の温度が１００℃まで、好ましくは７０℃までである、〔１〕〜〔４〕のいずれかに記載の方法。
〔６〕
クロマトグラフィーカラムのうちの少なくとも１つの温度が４０から７０℃、好ましくは５７から６３℃である、〔１〕〜〔５〕のいずれかに記載の方法。
〔７〕
ＰＵＦＡ生成物が少なくとも１つのω−３ＰＵＦＡを含む、〔１〕〜〔６〕のいずれかに記載の方法。
〔８〕
ＰＵＦＡ生成物がＥＰＡもしくはＥＰＡ誘導体および／またはＤＨＡもしくはＤＨＡ誘導体を含む、〔７〕に記載の方法。
〔９〕
ＰＵＦＡ生成物がＥＰＡまたはＥＰＡエチルエステル（ＥＥ）を含む、〔７〕に記載の方法。
〔１０〕
溶離剤として水性有機溶媒を含む複数の連結したクロマトグラフィーカラムを有する１つまたは複数の擬似または実移動床式クロマトグラフィー装置に供給混合液を導入することを含み、複数の連結したクロマトグラフィーカラムのうちの少なくとも１個の温度が室温を超える、〔１〕〜〔９〕のいずれかに記載の方法。
〔１１〕
（ｉ）第一分離ステップにおいて、溶離剤として水性有機溶媒を含む複数の連結したクロマトグラフィーカラムを有する擬似または実移動床式クロマトグラフィー装置で供給混合液を精製して、中間生成物を得るステップと、
（ｉｉ）第二分離ステップにおいて、溶離剤として水性有機溶媒を含む複数の連結したクロマトグラフィーカラムを有する擬似または実移動床式クロマトグラフィー装置を使用して（ｉ）で得られた中間生成物を精製して、ＰＵＦＡ生成物を得るステップとを含み、
第一分離ステップの複数の連結したクロマトグラフィーカラムのうちの１個もしくは複数の温度および／または第二分離ステップの複数の連結したクロマトグラフィーカラムのうちの１個もしくは複数の温度が室温を超え、
（ａ）第一および第二分離ステップが同じクロマトグラフィー装置で順次行われ、中間生成物が第一と第二の分離ステップの間で回収され、クロマトグラフィー装置のプロセス条件が、各分離ステップで供給混合液の異なる成分からＰＵＦＡ生成物が分離されるように、第一と第二の分離ステップの間で調整される、または（ｂ）第一および第二分離ステップが、別々の第一および第二クロマトグラフィー装置でそれぞれ行われ、第一分離ステップから得られた中間生成物が第二クロマトグラフィー装置に導入され、各分離ステップで供給混合液の異なる成分からＰＵＦＡ生成物が分離される、〔１０〕に記載の方法。
〔１２〕
全てのクロマトグラフィーカラムの温度が室温を超える、〔１０〕または〔１１〕に記載の方法。
〔１３〕
各装置が、前記複数の連結したクロマトグラフィーカラムから液体が収集され得る抽出液流および抽残液流を有する、〔１０〕から〔１２〕のいずれかに記載の方法。
〔１４〕
溶離剤が、有機溶媒と水の総重量に基づいて、５重量％を超える水を含む、〔１〕〜〔１３〕のいずれかに記載の方法。
〔１５〕
溶離剤が、水とアルコール、エーテル、エステル、ケトンまたはニトリルとの混合液である、〔１〕〜〔１４〕のいずれかに記載の方法。
〔１６〕
溶離剤が水とメタノールの混合液である、〔１５〕に記載の方法。
〔１７〕
溶離剤として水性アルコールを含む複数の連結したクロマトグラフィーカラムを有する擬似または実移動床式クロマトグラフィー装置に供給混合液を導入することを含み、装置が、少なくとも第一ゾーンおよび第二ゾーンを含む複数のゾーンを有し、各ゾーンが、前記複数の連結したクロマトグラフィーカラムから液体が収集され得る抽出液流および抽残液流を有し、（ａ）より極性が高い成分とともにＰＵＦＡ生成物を含む抽残液流が、第一ゾーンのカラムから収集され、第二ゾーンの隣接していないカラムに導入され、かつ／または（ｂ）より極性が低い成分とともにＰＵＦＡ生成物を含む抽出液流が、第二ゾーンのカラムから収集され、第一ゾーンの隣接していないカラムに導入され、前記ＰＵＦＡ生成物が、各ゾーンで供給混合液の異なる成分から分離され、複数の連結したクロマトグラフィーカラムのうちの少なくとも１個の温度が５５℃を超え、好ましくは５６℃以上である、〔１〕に記載のクロマトグラフィー分離方法。
〔１８〕
供給混合液が魚油供給原料または魚油に由来する供給原料であり、ＰＵＦＡ生成物がＥＰＡまたはＥＰＡエチルエステルであり、純度９０％を超える、好ましくは純度９５％を超える、より好ましくは純度９７％を超える純度でＰＵＦＡ生成物が生成される、〔１〕〜〔１７〕のいずれかに記載の方法。
〔１９〕
室温を超える温度の少なくとも１個のクロマトグラフィーカラムによって、（ａ）分離方法で使用する溶離剤の量の低減および／または（ｂ）供給混合液に存在する様々な成分の分離方法における分解能の改善が可能になる、〔１〕〜〔１８〕のいずれかに記載の方法。
〔２０〕
供給混合液から多価不飽和脂肪酸（ＰＵＦＡ）生成物を回収するためのクロマトグラフィー分離方法における、１個もしくは複数の加熱クロマトグラフィーカラムおよび／または加熱溶離剤および／または加熱供給混合液の使用であって、この方法が、溶離剤として水性有機溶媒を含む１個または複数のクロマトグラフィーカラムで供給混合液を精製して、（ａ）分離方法で使用する溶離剤の量を低減し、かつ／または（ｂ）供給混合液に存在する様々な成分の分離方法における分解能を改善することを含む使用。
〔２１〕
１個もしくは複数の加熱カラムおよび／または加熱溶離剤および／または加熱供給混合液が〔４〕から〔６〕のいずれかに記載の温度に加熱される、〔２０〕に記載の使用。
【図面の簡単な説明】
【００２１】
【図１】二成分混合液を分離するための擬似または実移動床式方法の基本原理を図示する図である。
【図２】より急速なおよびより緩徐な移動成分（すなわち、より極性が高いおよびより極性が低い不純物）からＥＰＡを分離するのに適した本発明の特定の一実施形態を図示する図である。
【図３】より急速なおよびより緩徐な移動成分（すなわち、より極性が高いおよびより極性が低い不純物）からＤＨＡを分離するのに適した本発明の特定の一実施形態を図示する図である。
【図４】より急速なおよびより緩徐な移動成分（すなわち、より極性が高いおよびより極性が低い不純物）からＥＰＡを分離するのに適した本発明の特定の一実施形態をより詳細に図示する図である。
【図５】より急速なおよびより緩徐な移動成分（すなわち、より極性が高いおよびより極性が低い不純物）からＤＨＡを分離するのに適した本発明の特定の一実施形態をより詳細に図示する図である。
【図６】より急速なおよびより緩徐な移動成分（すなわち、より極性が高いおよびより極性が低い不純物）からＥＰＡを分離するのに適した本発明の第一の好ましい実施形態の代替方法をより詳細に図示する図である。
【図７】より急速なおよびより緩徐な移動成分（すなわち、より極性が高いおよびより極性が低い不純物）からＤＨＡを分離するのに適した本発明の第二の好ましい実施形態の代替方法をより詳細に図示する図である。
【図８】より急速なおよびより緩徐な移動成分（すなわち、より極性が高いおよびより極性が低い不純物）からＥＰＡを精製するための本発明の特定の一実施形態を図示する図である。
【図９】より急速なおよびより緩徐な移動成分（すなわち、より極性が高いおよびより極性が低い不純物）からＥＰＡを精製するための本発明の特定の一実施形態の代替方法を図示する図である。
【図１０】本発明のクロマトグラフィー分離方法の特定の一実施形態を行うことができる３つのやり方を図示する図である。
【図１１】より急速なおよびより緩徐な移動成分（すなわち、より極性が高いおよびより極性が低い不純物）からＥＰＡを精製するためのさらなる実施形態を示す図である。
【図１２】本発明に従って生成されたＥＰＡ  ＰＵＦＡ生成物のＧＣ  ＦＡＭＥＳトレースを示す図である。
【図１３】本発明に従って生成されたＥＰＡ  ＰＵＦＡ生成物のＧＣ  ＦＡＭＥＳトレースを示す図である。
【発明を実施するための形態】
【００２２】
本明細書で使用する場合、用語「ＰＵＦＡ生成物」は、典型的には栄養学的または医薬的に有効な、１種もしくは複数の多価不飽和脂肪酸（ＰＵＦＡ）および／またはそれらの誘導体を含む生成物を指す。典型的には、ＰＵＦＡ生成物は、単一のＰＵＦＡまたはその誘導体である。あるいは、ＰＵＦＡ生成物は、２つ以上、例えば２種のＰＵＦＡまたはそれらの誘導体の混合液である。
【００２３】
用語「多価不飽和脂肪酸」（ＰＵＦＡ）は、１つより多い二重結合を含む脂肪酸を指す。そうしたＰＵＦＡは当業者に周知である。本明細書で使用する場合、ＰＵＦＡ誘導体は、モノ、ジもしくはトリグリセリド、エステル、リン脂質、アミド、ラクトンまたは塩の形のＰＵＦＡである。トリグリセリドおよびエステルが好ましい。エステルがより好ましい。エステルは、典型的にはアルキルエステル、好ましくはＣ１〜Ｃ６アルキルエステル、より好ましくはＣ１〜Ｃ４アルキルエステルである。エステルの例としては、メチルおよびエチルエステルが挙げられる。エチルエステルが最も好ましい。
【００２４】
典型的には、ＰＵＦＡ生成物は、少なくとも１種のω−３またはω−６ＰＵＦＡ、好ましくは少なくとも１種のω−３ＰＵＦＡを含む。ω−３ＰＵＦＡの例としては、αリノレン酸（ＡＬＡ）、ステアリドン酸（ＳＤＡ）、エイコサトリエン酸（ＥＴＥ）、エイコサテトラエン酸（ＥＴＡ）、エイコサペンタエン酸（ＥＰＡ）、ドコサペンタエン酸（ＤＰＡ）およびドコサヘキサエン酸（ＤＨＡ）が挙げられる。ＳＤＡ、ＥＰＡ、ＤＰＡおよびＤＨＡが好ましい。ＥＰＡおよびＤＨＡがより好ましい。ω−６ＰＵＦＡの例としては、リノール酸（ＬＡ）、γリノレン酸（ＧＬＡ）、エイコサジエン酸、ジホモγリノレン酸（ＤＧＬＡ）、アラキドン酸（ＡＲＡ）、ドコサジエン酸、アドレン酸およびドコサペンタエン（ω−６）酸が挙げられる。ＬＡ、ＡＲＡ、ＧＬＡおよびＤＧＬＡが好ましい。
【００２５】
一実施形態では、ＰＵＦＡ生成物は、ＥＰＡおよび／またはＥＰＡエチルエステル（ＥＥ）である。
【００２６】
別の実施形態では、ＰＵＦＡ生成物は、ＤＨＡおよび／またはＤＨＡエチルエステル（ＥＥ）である。
【００２７】
さらに別の実施態様では、ＰＵＦＡ生成物は、ＥＰＡとＤＨＡおよび／またはＥＰＡ  ＥＥとＤＨＡ  ＥＥとの混合液である。
【００２８】
最も好ましい実施形態では、ＰＵＦＡ生成物は、９０％を超える純度、好ましくは９５％を超える純度、より好ましくは９７％を超える純度で生成される、ＥＰＡまたはＥＰＡエチルエステルである。
【００２９】
典型的には、本発明のクロマトグラフィー分離方法では、前記ＰＵＦＡ生成物に加えて、さらなる二次的なＰＵＦＡ生成物が収集される。好ましくは、ＰＵＦＡ生成物はＥＰＡであり、さらなる二次的なＰＵＦＡ生成物はＤＨＡである。
【００３０】
本発明のさらなる実施形態では、ＥＰＡとＤＨＡとの濃縮混合液であるＰＵＦＡ生成物を収集するように装置が構成される。したがって、ＥＰＡ、ＤＨＡ、ＥＰＡとＤＨＡより極性が高い成分、ならびにＥＰＡとＤＨＡより極性が低い成分を含む供給混合液が使用される。第一分離ステップで、ＥＰＡとＤＨＡより極性が低い材料が典型的には除去される。第二分離ステップでは、ＥＰＡとＤＨＡより極性が高い材料が典型的には除去され、ＥＰＡとＤＨＡとの濃縮混合液がＰＵＦＡ生成物として収集される。
【００３１】
本発明の方法によって分画するための適切な供給混合液は、植物および動物の油および脂肪を含めた天然供給源から、ならびに遺伝子改変された植物、動物、および酵母を含めた微生物から得られる油を含めた合成供給源から得ることができる。例としては、魚油、藻類および微細藻類の油ならびに植物油、例えばルリチシャ油、エキウム（Echium）油および月見草油が挙げられる。一実施形態では、供給混合液は魚油である。別の実施形態では、供給混合液は藻類油である。所望のＰＵＦＡ生成物がＥＰＡおよび／またはＤＨＡの場合は、藻類油が特に適切である。所望のＰＵＦＡ生成物がＧＬＡである場合は、遺伝子改変されたベニバナ油が特に適切である。所望のＰＵＦＡ生成物がＥＰＡの場合は、遺伝子改変された酵母が特に適切である。
【００３２】
特に好ましい実施形態では、供給混合液は魚油または魚油由来の供給原料である。魚油または魚油由来の供給原料が使用される場合は、ＥＰＡまたはＥＰＡエチルエステルのＰＵＦＡ生成物を、９０％を超える純度、好ましくは９５％を超える純度、より好ましくは９７％を超える純度で本発明の方法によって生成できることが、好都合なことに見出されている。
【００３３】
供給混合液は、本発明の方法によって分画する前に化学的な処理を受けてもよい。例えばそれは、グリセリドのエステル転移反応またはグリセリドの加水分解を受けてもよく、続いてある場合には、結晶化、分子蒸留、尿素分画、硝酸銀または他の金属塩溶液を用いる抽出、ヨードラクトン化または超臨界流体分画などの選択的方法を受けてもよい。あるいは、最初の処理ステップなしで供給混合液を直接使用してもよい。
【００３４】
供給混合液は、ＰＵＦＡ生成物ならびに少なくとも１種のより極性が高い成分および少なくとも１種のより極性が低い成分を典型的には含む。より極性が低い成分は、本発明の方法で使用する吸着剤への固着性がＰＵＦＡ生成物よりも強い。動作中に、そうしたより極性が低い成分は、液体溶離剤相に優先して、固体吸着剤相とともに典型的には移動する。より極性が高い成分は、本発明の方法で使用する吸着剤への固着性がＰＵＦＡ生成物よりも弱い。動作中に、そうしたより極性が高い成分は、固体吸着剤相に優先して、液体溶離剤相とともに典型的には移動する。一般に、より極性が高い成分は抽残液流中に分離されることになり、より極性が低い成分は抽出液流中に分離されることになる。
【００３５】
より極性が高い成分およびより極性が低い成分の例としては、（１）天然油（例えば海産油または植物油）に存在する他の化合物、（２）貯蔵、精製および前の濃縮ステップの間に形成される副産物ならびに（３）前の濃縮または精製ステップの間に利用される溶媒または試薬からの混入物が挙げられる。
【００３６】
（１）の例としては、他の望ましくないＰＵＦＡ；飽和脂肪酸；ステロール、例えばコレステロール；ビタミン；ならびにポリ塩化ビフェニル（ＰＣＢ）、ポリ芳香族炭化水素（ＰＡＨ）殺虫剤、塩素系殺虫剤、ダイオキシンおよび重金属などの環境汚染物質が挙げられる。ＰＣＢ、ＰＡＨ、ダイオキシンおよび塩素系殺虫剤は、全て極めて非極性の成分である。
【００３７】
（２）の例としては、ＰＵＦＡ生成物からの異性体、および酸化または分解生成物、例えば脂肪酸の自己酸化ポリマー生成物またはその誘導体が挙げられる。
【００３８】
（３）の例としては、供給混合液から飽和または一不飽和脂肪酸を除去するために添加され得る尿素が挙げられる。
【００３９】
好ましくは、供給混合液はＰＵＦＡ含有海産油（例えば魚油）、より好ましくはＥＰＡおよび／またはＤＨＡを含む海産油（例えば魚油）である。
【００４０】
本発明の方法によって濃縮ＥＰＡ（ＥＥ）を調製するための典型的な供給混合液は、５０〜７５％のＥＰＡ（ＥＥ）、０から１０％のＤＨＡ（ＥＥ）ならびに他の必須ω−３およびω−６脂肪酸を含めた他の成分を含む。
【００４１】
本発明の方法によって濃縮ＥＰＡ（ＥＥ）を調製するための好ましい供給混合液は、５５％のＥＰＡ（ＥＥ）、５％のＤＨＡ（ＥＥ）ならびに他の必須ω−３およびω−６脂肪酸を含めた他の成分を含む。ＤＨＡ（ＥＥ）はＥＰＡ（ＥＥ）よりも極性が低い。
【００４２】
本発明の方法によって濃縮ＤＨＡ（ＥＥ）を調製するための典型的な供給混合液は、５０〜７５％のＤＨＡ（ＥＥ）、０から１０％のＥＰＡ（ＥＥ）ならびに他の必須ω−３およびω−６脂肪酸を含めた他の成分を含む。
【００４３】
本発明の方法によって濃縮ＤＨＡ（ＥＥ）を調製するための好ましい供給混合液は、７５％のＤＨＡ（ＥＥ）、７％のＥＰＡ（ＥＥ）ならびに他の必須ω−３およびω−６脂肪酸を含めた他の成分を含む。ＥＰＡ（ＥＥ）は、ＤＨＡ（ＥＥ）より極性が高い。
【００４４】
本発明の方法によってＥＰＡ（ＥＥ）とＤＨＡ（ＥＥ）との濃縮混合液を調製するための典型的な供給混合液は、３３％を超えるＥＰＡ（ＥＥ）および２２％を超えるＤＨＡ（ＥＥ）を含む。
【００４５】
典型的には、本発明の方法で使用する全てのクロマトグラフィーカラムの温度は室温を超える。
【００４６】
認識されるように、室温を超える温度の少なくとも１個のクロマトグラフィーカラムにおいては、分離方法にとって重要なのはカラムの内側である。したがって、室温を超える温度は、典型的には、クロマトグラフィーカラム内側の水性有機溶媒の溶離剤および吸着剤である。当然ながら、内部手段によって（例えば、溶離剤および／または供給混合液を加熱することによって）および／または外部手段によって（例えば、任意の既知の従来の手段によってクロマトグラフィーカラムの外側を加熱することによって）、少なくとも１個のクロマトグラフィーカラムの内側に必要とされる温度を達成することが可能である。
【００４７】
典型的には、加熱クロマトグラフィーカラムの必要とされる高温は、水性有機溶媒の溶離剤および／または供給混合液を加熱することによって達成される。これは、カラムを内部で加熱する効果がある。
【００４８】
したがって、供給混合液が通過するクロマトグラフィーカラムのうちの少なくとも１個の温度は、水性有機溶媒の溶離剤の温度として測定することもできる。
【００４９】
したがって、本発明はまた、供給混合液から多価不飽和脂肪酸（ＰＵＦＡ）生成物を回収するためのクロマトグラフィー分離方法であって、供給混合液を、溶離剤として水性有機溶媒を含む１個または複数のクロマトグラフィーカラムを通過させることを含み、本明細書で定義したように、溶離剤の温度が室温を超える方法を提供する。
【００５０】
あるいは、クロマトグラフィーカラムのうちの少なくとも１個の必要とされる温度は、カラムを加熱することによって達成される。加熱は、例えば、電気加熱マントル、加熱水ジャケットもしくはコイルを使用して、または放射加熱ランプによって行うことができる。１個または複数のクロマトグラフィーカラムの内部および／または外部が、典型的には加熱される。
【００５１】
クロマトグラフィーカラムのうちの少なくとも１個の必要とされる温度は、カラムおよび／または水性有機溶媒の溶離剤および／または供給混合液を加熱することによって達成することができる。
【００５２】
典型的には、クロマトグラフィーカラムのうちの少なくとも１個の温度は、３０℃を超え、好ましくは３５℃を超え、より好ましくは４０℃を超え、さらにより好ましくは４５℃を超え、さらにより好ましくは５０℃を超え、さらにより好ましくは５５℃を超え、さらにより好ましくは５７℃を超える。ある種の実施形態では、５６℃の温度が有用である。
【００５３】
典型的には、クロマトグラフィーカラムのうちの少なくとも１個の温度は、１００℃まで、好ましくは９５℃まで、より好ましくは９０℃まで、さらにより好ましくは８５℃まで、さらにより好ましくは８０℃まで、さらにより好ましくは７５℃まで、さらにより好ましくは７０℃までである。
【００５４】
したがって、クロマトグラフィーカラムのうちの少なくとも１個についての典型的な温度範囲は、３０から１００℃、３５から９５℃、４０から９０℃、４５から８５℃、５０から８０℃、５５から７５℃または５７から７０℃である。
【００５５】
クロマトグラフィーカラムのうちの少なくとも１個についての好ましい温度範囲は、４０から７０℃、好ましくは５０から６７℃、より好ましくは５６から６５℃、さらにより好ましくは５７から６３℃である。
【００５６】
本発明の方法は、供給混合液を、１個または複数のクロマトグラフィーカラムを通過させることを含む。任意の既知のクロマトグラフィーカラムを、特許請求した方法で使用することができる。
【００５７】
１個または複数のクロマトグラフィーカラムは、吸着剤を典型的には含む。クロマトグラフィー分離手法用の当技術分野で既知の従来の吸着剤を、本発明の方法で使用することができる。１個より多くのクロマトグラフィーカラムが使用される場合は、各クロマトグラフィーカラムは、同一または異なる吸着剤を含んでいてもよい。典型的には、１個より多くのクロマトグラフィーカラムが使用される場合は、各カラムは同じ吸着剤を含む。一般に使用されるそうした材料の例としては、ポリマービーズ、好ましくはＤＶＢ（ジビニルベンゼン）と網状化したポリスチレン；およびシリカゲル、好ましくはＣ８またはＣ１８アルカン、特にＣ１８と結合した逆相シリカゲルがある。Ｃ１８結合逆相シリカゲルが好ましい。本発明の方法で使用する吸着剤は、好ましくは非極性である。
【００５８】
吸着剤固定相材料の形状は、例えば、球状のまたは非球状のビーズ、好ましくは実質的に球状のビーズであってもよい。そうしたビーズは、５から５００ミクロン、好ましくは１０から５００ミクロン、より好ましくは１５から５００ミクロン、より好ましくは４０から５００ミクロン、より好ましくは１００から５００ミクロン、より好ましくは２５０から５００ミクロン、さらにより好ましくは２５０から４００ミクロン、最も好ましくは２５０から３５０ミクロンの直径を典型的には有する。いくつかの実施形態では、５から３５ミクロン、典型的には１０から３０ミクロン、好ましくは１５から２５ミクロンの直径を有するビーズを使用することができる。いくつかの好ましい粒径は、擬似および実移動床式方法で過去に使用されたビーズの粒径よりも幾分大きい。より大きな粒子を使用することによって、システムで使用される溶離剤の圧力をより低くすることができる。ひいては、これは、費用節約、効率および装置の寿命の点から利点を有する。より大きな粒径の吸着剤ビーズが、（その付随する利点を伴って）分解能を少しも低下させることなしに、本発明の方法で使用できることが驚いたことに見出された。
【００５９】
使用されるカラムの寸法は特に制限されておらず、精製される供給混合液の容積にある程度依存することになる。当業者なら、使用するのに適したサイズのカラムを容易に決定することができるであろう。各カラムの直径は、典型的には１０から１０００ｍｍの間、好ましくは１０から５００ｍｍの間、より好ましくは２５から２５０ｍｍの間、さらにより好ましくは５０から１００ｍｍの間、最も好ましくは７０から８０ｍｍの間である。各カラムの長さは、典型的には１０から３００ｃｍの間、好ましくは１０から２００ｃｍの間、より好ましくは２５から１５０ｃｍの間、さらにより好ましくは７０から１１０ｃｍの間、最も好ましくは８０から１００ｃｍの間である。
【００６０】
本発明の方法で使用する溶離剤は、水性有機溶媒である。
【００６１】
水性有機溶媒は、水および１種もしくは複数のアルコール、エーテル、エステル、ケトンもしくはニトリルまたはそれらの混合液を典型的には含む。
【００６２】
アルコール溶媒は当業者に周知である。アルコールは、典型的には短鎖アルコールである。アルコールは典型的には式ＲＯＨのものであり、式中、Ｒは直鎖または分枝状のＣ１〜Ｃ６アルキル基である。Ｃ１〜Ｃ６アルキル基は、好ましくは無置換である。アルコールの例としては、メタノール、エタノール、ｎ−プロパノール、ｉ−プロパノール、ｎ−ブタノール、ｉ−ブタノール、ｓ−ブタノールおよびｔ−ブタノールが挙げられる。メタノールおよびエタノールが好ましい。メタノールがより好ましい。
【００６３】
エーテル溶媒は当業者に周知である。エーテルは、典型的には短鎖エーテルである。エーテルは典型的には式Ｒ−Ｏ−Ｒ’のものであり、式中、ＲおよびＲ’は同一または異なっており、直鎖または分枝状のＣ１〜Ｃ６アルキル基を表す。Ｃ１〜Ｃ６アルキル基は、好ましくは無置換である。好ましいエーテルとしては、ジエチルエーテル、ジイソプロピルエーテルおよびメチルｔ−ブチルエーテル（ＭＴＢＥ）が挙げられる。
【００６４】
エステル溶媒は当業者に周知である。エステルは、典型的には短鎖エステルである。エステルは典型的には式Ｒ−（Ｃ＝Ｏ）Ｏ−Ｒ’のものであり、式中、ＲおよびＲ’は同一または異なっており、直鎖または分枝状のＣ１〜Ｃ６アルキル基を表す。好ましいエステルとしては、酢酸メチルおよび酢酸エチルが挙げられる。
【００６５】
ケトン溶媒は当業者に周知である。ケトンは典型的には短鎖ケトンである。ケトンは典型的には式Ｒ−（Ｃ＝Ｏ）−Ｒ’のものであり、式中、ＲおよびＲ’は同一または異なっており、直鎖または分枝状のＣ１〜Ｃ６アルキル基を表す。Ｃ１〜Ｃ６アルキル基は、好ましくは無置換である。好ましいケトンとしては、アセトン、メチルエチルケトンおよびメチルイソブチルケトン（ＭＩＢＫ）が挙げられる。
【００６６】
ニトリル溶媒は当業者に周知である。ニトリルは典型的には短鎖ニトリルである。ニトリルは典型的には式Ｒ−ＣＮのものであり、式中、Ｒは直鎖または分枝状のＣ１〜Ｃ６アルキル基を表す。Ｃ１〜Ｃ６アルキル基は、好ましくは無置換である。好ましいニトリルとしては、アセトニトリルが挙げられる。
【００６７】
典型的には、水性有機溶媒は水性アルコールまたは水性アセトニトリルである。
【００６８】
水性有機溶媒は、好ましくは水性メタノールまたは水性アセトニトリルである。水性メタノールがより好ましい。
【００６９】
典型的には、溶離剤は超臨界状態でない。典型的には、溶離剤は液体である。
【００７０】
典型的には、装置全体の溶離剤の水：有機溶媒の平均比率、例えば水：メタノールの比率は、０．１：９９．９から１２：８８容積部、好ましくは０．２５：９９．７５から１０：９０容積部、より好ましくは０．５：９９．５から９：９１容積部である。いくつかの実施形態では、装置全体の溶離剤の水：有機溶媒の平均比率、例えば水：メタノールの比率は、好ましくは０．１：９９．９から９：９１容積部、より好ましくは０．２５：９９．７５から７：９３容積部、さらにより好ましくは０．５：９９．５から６：９４容積部である。他の実施形態では、装置全体の溶離剤の水：有機溶媒の平均比率、例えば水：メタノールの比率は、好ましくは４：９６から１２：８８容積部、好ましくは６：９４から１０：９０容積部、より好ましくは７：９３から９：９１容積部、さらにより好ましくは７．５：９２．５から８．５：９１．５容積部である。
【００７１】
水性有機溶媒が水性アセトニトリルである場合は、溶離剤は、３０重量％までの水、残りのアセトニトリルを典型的には含む。好ましくは、溶離剤は、５から２５重量％の水、残りのアセトニトリルを含む。より好ましくは、溶離剤は、１０から２０重量％の水、残りのアセトニトリルを含む。さらにより好ましくは、溶離剤は、１５から２５重量％の水、残りのアセトニトリルを含む。
【００７２】
典型的には、水と有機溶媒の総重量に基づいて、溶離剤は５重量％以上の水を含む。好ましくは、溶離剤は、６重量％以上の水、より好ましくは７重量％以上の水、さらにより好ましくは約８重量％の水を含む。したがって、溶離剤は、５から１５重量％の水、好ましくは６から１３重量％の水、より好ましくは７から１１重量％の水、さらにより好ましくは７．５から９．５重量％の水、さらにより好ましくは７．５から８．５重量％の水を典型的には含む。好都合なことに、この増大した水分含有量によって、供給混合液に存在する、密接に関わる成分の分解能が改善される。溶離剤の増大した水分含有量によって、ある種の状況下では、より大きい容量の溶離剤の使用が必要とされ得る。実際には、これは、供給混合液が通過するクロマトグラフィーカラムのうちの少なくとも１個を、室温を超える温度に加熱することによって、好ましくは溶離剤を、室温を超える温度に加熱することによって相殺される。このようにしてカラムおよび／または溶離剤を加熱することによって、使用する必要がある溶媒の量が低減される。
【００７３】
クロマトグラフィー装置が、供給混合液を、溶離剤として水性有機溶媒を含む１個または複数のクロマトグラフィーカラムを通過させること（ここでは、供給混合液が通過するクロマトグラフィーカラムのうちの少なくとも１個の温度が室温を超える）を含む限り、任意の既知のクロマトグラフィー装置を本発明の方法を目的として使用することができる。
【００７４】
本発明の方法の各分離ステップは、擬似または実移動床式クロマトグラフィー装置で行われる。
【００７５】
本発明の方法で使用するクロマトグラフィーカラムの数は特に制限されない。ある種の実施形態では、単一のクロマトグラフィーカラムを使用することができる。したがって、そうした実施形態では、単一の固定カラムを典型的には含む。
【００７６】
他の実施形態では、１個より多くのクロマトグラフィーカラムが使用される。これは、供給混合液を、同じでもよいし異なっていてもよい、連続してまたは平行に配置される２つ以上のクロマトグラフィーカラムを通過させることを含んでもよい。本実施形態で使用するカラム数は特に制限されないが、典型的には３０個のカラムを超えない。
【００７７】
多数のクロマトグラフィーカラムが使用される特定の一実施形態は、擬似または実移動床式クロマトグラフィーである。
【００７８】
したがって、本発明の方法は、溶離剤として水性有機溶媒を含む複数の連結したクロマトグラフィーカラムを有する１つまたは複数の擬似または実移動床式クロマトグラフィー装置に供給混合液を導入すること（ここでは、複数の連結したクロマトグラフィーカラムのうちの少なくとも１個の温度が室温を超える）を典型的には含む。
【００７９】
典型的には、実質的に全ての連結したクロマトグラフィーカラムの温度は室温を超える。好ましくは、全ての連結したクロマトグラフィーカラムの温度は室温を超える。
【００８０】
装置が本発明の方法に従って使用される限り、本発明の方法を目的として、任意の既知の擬似または実移動床式クロマトグラフィー装置を利用することができる。ＵＳ２，９８５，５８９、ＵＳ３，６９６，１０７、ＵＳ３，７０６，８１２、ＵＳ３，７６１，５３３、ＦＲ−Ａ−２１０３３０２、ＦＲ−Ａ−２６５１１４８、ＦＲ−Ａ−２６５１１４９、ＵＳ６，９７９，４０２、ＵＳ５，０６９，８８３およびＵＳ４，７６４，２７６に記載されているそうした装置は、本発明の方法に従って構成されれば、全て使用することができる。
【００８１】
一実施形態では、方法は、
（ｉ）第一分離ステップにおいて、溶離剤として水性有機溶媒を含む複数の連結したクロマトグラフィーカラムを有する擬似または実移動床式クロマトグラフィー装置で供給混合液を精製して、中間生成物を得るステップと、
（ｉｉ）第二分離ステップにおいて、溶離剤として水性有機溶媒を含む複数の連結したクロマトグラフィーカラムを有する擬似または実移動床式クロマトグラフィー装置を使用して、（ｉ）で得られた中間生成物を精製して、ＰＵＦＡ生成物を得るステップとを含み、
第一分離ステップの複数の連結したクロマトグラフィーカラムのうちの１個もしくは複数の温度および／または第二分離ステップの複数の連結したクロマトグラフィーカラムのうちの１個もしくは複数の温度が室温を超え、
（ａ）第一および第二分離ステップが同じクロマトグラフィー装置で順次行われ、中間生成物が第一と第二の分離ステップの間で回収され、クロマトグラフィー装置のプロセス条件が、各分離ステップで供給混合液の異なる成分からＰＵＦＡ生成物が分離され
るように、第一と第二の分離ステップの間で調整される、または
（ｂ）第一および第二分離ステップが、別々の第一および第二クロマトグラフィー装置でそれぞれ行われ、第一分離ステップから得られた中間生成物が第二クロマトグラフィー装置に導入され、各分離ステップで供給混合液の異なる成分からＰＵＦＡ生成物が分離される。
【００８２】
この実施形態では、用語「擬似または実移動床式クロマトグラフィー装置」は、溶離剤として水性有機溶媒を含む複数の連結したクロマトグラフィーカラムであって、供給混合液流に対する１つまたは複数の注入ポイント、水および／または有機溶媒に対する１つまたは複数の注入ポイント、前記複数の連結したクロマトグラフィーカラムから液体が収集され得る抽残液分岐流ならびに前記複数の連結したクロマトグラフィーカラムから液体が収集され得る抽出液分岐流を有する、クロマトグラフィーカラムを典型的には指す。
【００８３】
この実施形態で使用するクロマトグラフィー装置は、溶離剤として水性有機溶媒を含む、連続して連結した単一配列のクロマトグラフィーカラムを有する。典型的には、各クロマトグラフィーカラムは、そのカラムに隣接した、装置中の２個のカラムに連結している。したがって、その配列の所与のカラムからのアウトプットは、その配列の隣接したカラムのインプットにつながり、隣接したカラムは、その配列の溶離剤の流れに対して下流にある。したがって、溶離剤は、連結したクロマトグラフィーカラムの配列を回って流動することができる。典型的には、どのクロマトグラフィーカラムも装置の隣接していないカラムに連結していない。
【００８４】
本明細書で使用する場合、用語「隣接していない」は、例えば同じ装置の、１個または複数のカラム、好ましくは３個以上のカラム、より好ましくは５個以上のカラム、最も好ましくは約５個のカラムによって隔てられたカラムを指す。
【００８５】
この実施形態では、典型的には、各装置は供給混合液に対する注入ポイントを１つだけ有する。一実施形態では、各装置は水性有機溶媒の溶離剤に対する注入ポイントを１つだけ有する。別の実施形態では、各装置は水および／または有機溶媒に対する注入ポイントを２つ以上有する。
【００８６】
用語「抽残液」は当業者に周知である。実および擬似移動床式クロマトグラフィーとの関係においては、それは、固体吸着剤相と比較して、液体溶離剤相とともにより急速に移動する成分の流れを指す。したがって抽残液流は、供給流と比較して、典型的には、より極性が高い成分が豊富であり、より極性が低い成分が欠乏している。
【００８７】
用語「抽出液」は当業者に周知である。実および擬似移動床式クロマトグラフィーとの関係においては、それは、液体溶離剤相と比較して、固体吸着剤相ともにより急速に移動する成分の流れを指す。したがって、抽出液流は、供給流と比較して、典型的には、より極性が低い成分が豊富であり、より極性が高い成分が欠乏している。
【００８８】
この実施形態では、各装置で使用するカラム数は特に制限されない。当業者なら、使用するのに適したカラム数を容易に決定することができるであろう。カラム数は、典型的には４個以上、好ましくは６個以上、より好ましくは８個以上、例えば４、５、６、７、８、９または１０個のカラムである。好ましい実施形態では、５または６個のカラム、より好ましくは６個のカラムが使用される。別の好ましい実施形態では、７または８個のカラム、より好ましくは８個のカラムが使用される。典型的には、２５個以下、好ましくは２０個以下、より好ましくは１５個以下のカラムが存在する。
【００８９】
この実施形態では、第一および第二分離ステップで使用するクロマトグラフィー装置は、典型的には同じカラム数を含む。ある種の適用に関しては、それらは異なる数のカラムを有してもよい。
【００９０】
この実施形態では、第一および第二分離ステップで使用するクロマトグラフィー装置中のカラムは、典型的には同じ寸法を有するが、ある種の適用に関しては、異なる寸法を有してもよい。
【００９１】
カラムの流速は、一連のカラムにわたる最大圧力によって制限され、カラムの寸法および固相の粒径に依存することになる。当業者なら、効率的な脱着を確実にするために各カラム寸法について必要とされる流速を容易に確立することができるであろう。一般に、より大きな直径のカラムは、カラムを通る直線的な流動を維持するのにより大きな流速を必要とする。
【００９２】
この実施形態では、上記で概要を述べた典型的なカラムサイズに関しては、典型的には、第一分離ステップで使用するクロマトグラフィー装置中への溶離剤の流速は、１から４．５Ｌ／分、好ましくは１．５から２．５Ｌ／分である。典型的には、第一分離ステップで使用するクロマトグラフィー装置からの抽出液の流速は、０．１から２．５Ｌ／分、好ましくは０．５から２．２５Ｌ／分である。第一分離ステップからの抽出液の一部を第一分離ステップで使用した装置中に再循環させる実施形態では、再循環の流速は、典型的には０．７から１．４Ｌ／分、好ましくは約１Ｌ／分である。典型的には、第一分離ステップで使用するクロマトグラフィー装置からの抽残液の流速は、０．２から２．５Ｌ／分、好ましくは０．３から２．０Ｌ／分である。第一分離ステップからの抽残液の一部を第一分離ステップで使用した装置中に再循環する実施形態では、再循環の流速は、典型的には０．３から１．０Ｌ／分、好ましくは約０．５Ｌ／分である。典型的には、第一分離ステップで使用するクロマトグラフィー装置中への供給混合液の導入の流速は、５から１５０ｍＬ／分、好ましくは１０から１００ｍＬ／分、より好ましくは２０から６０ｍＬ／分である。
【００９３】
この実施形態では、上記で概要を述べた典型的なカラムサイズに関しては、典型的には、第二分離ステップで使用するクロマトグラフィー装置中への溶離剤の流速は、１から４Ｌ／分、好ましくは１．５から３．５Ｌ／分である。典型的には、第二分離ステップで使用するクロマトグラフィー装置からの抽出液の流速は、０．５から２Ｌ／分、好ましくは０．７から１．９Ｌ／分である。第二分離ステップからの抽出液の一部を第二分離ステップで使用した装置中に再循環する実施形態では、再循環の流速は、典型的には０．６から１．４Ｌ／分、好ましくは０．７から１．１Ｌ／分、より好ましくは約０．９Ｌ／分である。典型的には、第二分離ステップで使用するクロマトグラフィー装置からの抽残液の流速は、０．５から２．５Ｌ／分、好ましくは０．７から１．８Ｌ／分、より好ましくは約１．４Ｌ／分である。第二分離ステップからの抽残液の一部を第二分離ステップで使用した装置中に再循環する実施形態では、再循環の流速は、典型的には０．３から１．０Ｌ／分、好ましくは約０．５Ｌ／分である。
【００９４】
当業者なら認識するように、様々な抽出液および抽残液流を介して液体が収集されるまたは除去される速度への言及は、ある時間内に除去される液体の容積、典型的にはＬ／分を指す。同様に、液体が装置中に、典型的には装置の隣接したカラムに再循環される速度への言及は、ある時間内に再循環される液体の容積、典型的にはＬ／分を指す。
【００９５】
この実施形態では、実移動床式クロマトグラフィーが好ましい。
【００９６】
ステップ時間、すなわち、供給混合液および溶離剤の注入ポイントと収集画分の様々な分岐ポイントとをシフトする間の時間は、特に制限されず、使用するカラムの数および寸法ならびに装置を通る流速に依存することになる。当業者なら、本発明の方法で使用するのに適したステップ時間を容易に決定することができるであろう。ステップ時間は、典型的には１００から１０００秒、好ましくは２００から８００秒、より好ましくは約２５０から約７５０秒である。いくつかの実施形態では、１００から４００秒、好ましくは２００から３００秒、より好ましくは約２５０秒のステップ時間が適する。他の実施形態では、６００から９００秒、好ましくは７００から８００秒、より好ましくは約７５０秒のステップ時間が適する。
【００９７】
この実施形態では、本発明の方法は、第一および第二分離ステップを含む。
【００９８】
これら２つのステップは、単一のクロマトグラフィー装置で容易に行うことができる。したがって、一実施形態では、（ａ）第一および第二分離ステップは同じクロマトグラフィー装置で順次行われ、中間生成物は第一と第二の分離ステップの間で回収され、クロマトグラフィー装置のプロセス条件は、各分離ステップで供給混合液の異なる成分からＰＵＦＡ生成物が分離されるように、第一と第二の分離ステップの間で調整される。この分離方法の好ましい実施形態を図１０ａとして示す。したがって、第一分離ステップ（左側）が、８個のカラムを有するＳＭＢ装置で行われる。第一と第二の分離ステップの間で中間生成物が例えば容器に回収され、クロマトグラフィー装置のプロセス条件が、各分離ステップで供給混合液の異なる成分からＰＵＦＡ生成物が分離されるように調整される。次いで、第二分離ステップ（右側）が、８個のカラムを有する同じＳＭＢ装置で行われる。
【００９９】
実施形態（ａ）では、プロセス条件を調整することは、装置のプロセス条件を全体として調整すること、すなわち、条件が異なるように物理的に装置を改変することを典型的には指す。これは、プロセス条件が偶然異なる可能性がある、同じ装置の異なる部分に、単純に中間生成物を再導入することを指さない。
【０１００】
あるいは、第一および第二の別々のクロマトグラフィー装置を、第一および第二分離ステップで使用することができる。したがって、別の実施形態では、（ｂ）第一および第二分離ステップは、別々の第一および第二クロマトグラフィー装置でそれぞれ行われ、第一分離ステップから得られた中間生成物は、第二クロマトグラフィー装置に導入され、各分離ステップで供給混合液の異なる成分からＰＵＦＡ生成物が分離される。
【０１０１】
実施形態（ｂ）では、２つの分離ステップは順次行われても同時に行われてもよい。
【０１０２】
したがって、２つの分離ステップが順次行われる場合の実施形態（ｂ）では、第一および第二分離ステップは、それぞれ別々の第一および第二クロマトグラフィー装置で順次行われ、中間生成物は第一と第二の分離ステップの間で回収され、第一および第二のクロマトグラフィー装置のプロセス条件は、各分離ステップで供給混合液の異なる成分からＰＵＦＡ生成物が分離されるように調整される。この分離方法の好ましい実施形態を図１０ｂとして示す。したがって、第一分離ステップ（左側）が、８個のカラム、１から８を有するＳＭＢ装置で行われる。第一と第二の分離ステップの間で中間生成物が例えば容器に回収され、次いで、第二の別のＳＭＢ装置に導入される。第二分離ステップ（右側）が、８個のカラム、９から１６を有する第二の別のＳＭＢ装置で行われる。２つのクロマトグラフィー装置のプロセス条件は、各分離ステップで供給混合液の異なる成分からＰＵＦＡ生成物が分離されるように調整される。
【０１０３】
２つの分離ステップが同時に行われる場合の実施形態（ｂ）では、第一および第二分離ステップは、別々の第一および第二クロマトグラフィー装置でそれぞれ行われ、中間生成物は、第二分離ステップで使用するクロマトグラフィー装置に導入され、第一および第二のクロマトグラフィー装置のプロセス条件は、各分離ステップで供給混合液の異なる成分からＰＵＦＡ生成物が分離されるように調整される。この分離方法の好ましい実施形態を図１０ｃとして示す。したがって、第一分離ステップ（左側）が、８個のカラム、１から８を有するＳＭＢ装置で行われる。第一分離ステップで得られた中間生成物が、次いで、第二分離ステップで使用する第二の別のクロマトグラフィー装置に導入される。中間生成物は、第一分離ステップから第二分離ステップへ直接的にまたは間接的に、例えば容器を介して送ることができる。第二分離ステップ（右側）が、８個のカラム、９から１６を有する第二の別のＳＭＢ装置で行われる。２つのクロマトグラフィー装置のプロセス条件は、各分離ステップで供給混合液の異なる成分からＰＵＦＡ生成物が分離されるように調整される。
【０１０４】
２つの分離ステップが同時に行われる場合の実施形態（ｂ）では、溶離剤は、２つの別々のクロマトグラフィー装置中を別々に循環する。したがって、第二分離ステップで精製され、第二分離ステップで使用するクロマトグラフィー装置に導入される中間生成物中に溶離剤が溶媒として存在し得るもの以外は、溶離剤は、２つの別々のクロマトグラフィー装置間で共有されない。クロマトグラフィーカラムは、第一および第二分離ステップで使用する２つの別々のクロマトグラフィー装置間で共有されない。
【０１０５】
この実施形態では、第一分離ステップで中間生成物を得た後で、中間生成物が第二分離ステップで精製される前に、水性有機溶媒の溶離剤を部分的にまたは完全に除去することができる。あるいは、存在する任意の溶媒を除去することなしに、中間生成物を第二分離ステップで精製することができる。
【０１０６】
前述のように、この実施形態では、各分離ステップで供給混合液の異なる成分からＰＵＦＡ生成物が分離される。実施形態（ａ）では、両方の分離ステップで使用する単一のＳＭＢ装置のプロセス条件は、各分離ステップで供給混合液の異なる成分からＰＵＦＡ生成物が分離されるように、第一と第二の分離ステップの間で調整される。実施形態（ｂ）では、第一および第二分離ステップで使用する２つの別々のクロマトグラフィー装置のプロセス条件は、各分離ステップで供給混合液の異なる成分からＰＵＦＡ生成物が分離されるように設定される。
【０１０７】
したがって、本実施形態では、第一および第二分離ステップのプロセス条件は変化する。変化させるプロセス条件としては、例えば、使用するカラムのサイズ、使用するカラム数、カラムで使用する充填物、ＳＭＢ装置のステップ時間、装置の温度、分離ステップで使用する溶離剤、または装置で使用する流速、特に抽出液または抽残液流を介して収集された液体の再循環速度を挙げることができる。
【０１０８】
好ましくは、本実施形態では、変化可能なプロセス条件は、分離ステップで使用する溶離剤の水：有機溶媒比率および／または分離ステップにおける抽出液もしくは抽残液流を介して収集された液体の再循環速度である。これらのオプションの両方を、以下により詳細に記載する。
【０１０９】
この実施形態では、第一分離ステップで得られた中間生成物は、供給混合液と比較して、典型的にはＰＵＦＡ生成物が豊富である。
【０１１０】
この実施形態では、第一分離ステップで得られた中間生成物は、次いで、第二分離ステップで使用するクロマトグラフィー装置に導入される。
【０１１１】
この実施形態では、中間生成物は、第一分離方法で使用するクロマトグラフィー装置から抽残液または抽出液流として典型的には収集される。
【０１１２】
この実施形態では、典型的には、中間生成物は第一分離ステップで抽残液流として収集され、ＰＵＦＡ生成物は第二分離ステップで抽出液流として収集される。したがって、第一分離ステップで収集された抽残液流は、第二分離ステップで供給混合液として使用される。第一分離ステップで収集された抽残液流は、より極性が高い成分とともにＰＵＦＡ生成物を典型的には含む。
【０１１３】
あるいはこの実施形態では、中間生成物は第一分離ステップで抽出液流として収集され、ＰＵＦＡ生成物は第二分離ステップで抽残液流として収集される。したがって、第一分離ステップで収集された抽出液流は、第二分離ステップで供給混合液として使用される。第一分離ステップで収集された抽出液流は、より極性が低い成分とともにＰＵＦＡ生成物を典型的には含む。
【０１１４】
この実施形態では、各分離ステップで供給混合液の異なる成分からＰＵＦＡ生成物が分離される。典型的には、本発明の方法の各分離ステップで分離された成分は、異なる極性を有する。
【０１１５】
この実施形態では、好ましくは、第一分離ステップでは、より極性が低い供給混合液成分からＰＵＦＡ生成物が分離され、第二分離ステップでは、より極性が高い供給混合液成分からＰＵＦＡ生成物が分離される。
【０１１６】
この実施形態では、典型的には、（ａ）第一分離ステップで使用した装置からの抽出液流の一部は、第一分離ステップで使用した装置に再循環され、かつ／または
（ｂ）第一分離ステップで使用した装置からの抽残液流の一部は、第一分離ステップで使用した装置に再循環され、かつ／または
（ｃ）第二分離ステップで使用した装置からの抽出液流の一部は、第二分離ステップで使用した装置に再循環され、かつ／または
（ｄ）第二分離ステップで使用した装置からの抽残液流の一部は、第二分離ステップで使用した装置に再循環される。
【０１１７】
この実施形態では、好ましくは、（ａ）第一分離ステップで使用した装置からの抽出液流の一部は、第一分離ステップで使用した装置に再循環され、
（ｂ）第一分離ステップで使用した装置からの抽残液流の一部は、第一分離ステップで使用した装置に再循環され、
（ｃ）第二分離ステップで使用した装置からの抽出液流の一部は、第二分離ステップで使用した装置に再循環され、
（ｄ）第二分離ステップで使用した装置からの抽残液流の一部は、第二分離ステップで使用した装置に再循環される。
【０１１８】
この実施形態では、この再循環は、抽出液または抽残液流の一部を、第一または第二分離ステップで使用したクロマトグラフィー装置からそのステップで使用した装置、典型的には隣接したカラムに再供給することを含む。この隣接したカラムは、システムにおける溶離剤の流れに対して下流にある隣接したカラムである。
【０１１９】
この実施形態では、第一または第二分離ステップで抽出液または抽残液流を介して収集された液体がそのステップで使用したクロマトグラフィー装置に再循環される速度は、その流れを介して収集された液体がそのステップで使用した装置に、典型的には隣接したカラム、すなわち、システムにおける溶離剤の流れに対して下流のカラムに再供給される速度である。
【０１２０】
このことは、図９の好ましい実施形態を参照することで理解することができる。第一分離ステップにおける抽出液の再循環の速度は、第一分離ステップで使用したクロマトグラフィー装置のカラム２の底部から収集された抽出液が第一分離ステップで使用したクロマトグラフィー装置のカラム３の頂部に供給される速度、すなわち、第一分離ステップで使用したクロマトグラフィー装置のカラム３の頂部への液体の流速である。
【０１２１】
この実施形態では、第二分離ステップにおける抽出液の再循環の速度は、第二分離ステップで使用したクロマトグラフィー装置のカラム２の底部で収集された抽出液が第二分離ステップで使用したクロマトグラフィー装置のカラム３の頂部に供給される速度、すなわち、第二分離ステップで使用したクロマトグラフィー装置のカラム３の頂部への液体の流速である。
【０１２２】
この実施形態では、第一および／または第二分離ステップにおける抽出液および／または抽残液流の再循環は、その分離ステップでその流れを介して収集された液体を容器に供給し、次いで、ある量のその液体を、その分離ステップで使用した装置、典型的には隣接したカラムにその容器からポンプで戻すことによって典型的にはもたらされる。この場合、第一および／または第二分離ステップで特定の抽出液または抽残液流を介して収集された液体の、典型的には隣接したカラムに戻される再循環の速度は、液体が、クロマトグラフィー装置、典型的には隣接したカラムに容器からポンプで戻される速度である。
【０１２３】
当業者なら認識するように、この実施形態では、溶離剤および供給原料流を介してクロマトグラフィー装置に導入される液体の量は、装置から除去され、その装置に再循環される液体の量と釣り合っている。
【０１２４】
したがって、この実施形態では、図９を参照すると、抽出液流については、第一および第二分離ステップで使用するクロマトグラフィー装置（複数可）への溶離剤（脱着剤）の流速（Ｄ）は、その分離ステップで抽出液流を介して収集された液体が容器に蓄積する速度（Ｅ１およびＥ２）を、その特定の分離ステップで使用したクロマトグラフィー装置に再循環される抽出液の速度（Ｄ−Ｅ１およびＤ−Ｅ２）に加えたものに等しい。
【０１２５】
この実施形態では、ある分離ステップからの抽残液流については、その特定の分離ステップで使用したクロマトグラフィー装置に抽出液が再循環される速度（Ｄ−Ｅ１およびＤ−Ｅ２）を、供給原料がその特定の分離ステップで使用されるクロマトグラフィー装置に導入される速度（ＦおよびＲ１）に加えた速度は、その特定の分離ステップで抽残液流を介して収集された液体が容器に蓄積する速度（Ｒ１およびＲ２）を、その特定の分離ステップで使用したクロマトグラフィー装置に抽残液が再循環される速度（Ｄ＋Ｆ−Ｅ１−Ｒ１およびＤ＋Ｒ１−Ｅ２−Ｒ２）に加えたものに等しい。
【０１２６】
この実施形態では、クロマトグラフィー装置からの特定の抽出液または抽残液流から収集された液体が容器に蓄積する速度は、そのクロマトグラフィー装置からその抽出液または抽残液流が除去される正味の速度と考えることもできる。
【０１２７】
この実施形態では、典型的には、第一分離ステップで抽出液および抽残液流を介して収集された液体がその分離ステップで使用した装置に再循環される速度は、各分離ステップで供給混合液の異なる成分からＰＵＦＡ生成物を分離できるように調整される。
【０１２８】
この実施形態では、典型的には、第二分離ステップで抽出液および抽残液流を介して収集された液体がその分離ステップで使用した装置に再循環される速度は、各分離ステップで供給混合液の異なる成分からＰＵＦＡ生成物を分離できるように調整される。
【０１２９】
この実施形態では、好ましくは、各分離ステップで抽出液および抽残液流を介して収集された液体がその分離ステップで使用した装置に再循環される速度は、各分離ステップで供給混合液の異なる成分からＰＵＦＡ生成物を分離できるように調整される。
【０１３０】
この実施形態では、典型的には、第一分離ステップで抽出液流を介して収集された液体が第一分離ステップで使用したクロマトグラフィー装置に再循環される速度は、第二分離ステップで抽出液流を介して収集された液体が第二分離ステップで使用したクロマトグラフィー装置に再循環される速度とは異なり、かつ／または第一分離ステップで抽残液流を介して収集された液体が第一分離ステップで使用したクロマトグラフィー装置に再循環される速度は、第二分離ステップで抽残液流を介して収集された液体が第二分離ステップで使用したクロマトグラフィー装置に再循環される速度とは異なる。
【０１３１】
第一または第二分離ステップで抽出液および／または抽残液流を介して収集された液体がその特定の分離ステップで使用した装置に再循環される速度を変化させることは、抽出液および抽残液流に存在するより極性が高いおよびより極性が低い成分の量を変化させる効果がある。したがって、例えば、抽出液の再循環速度が低下すると、抽残液流まで運ばれる、その分離ステップのより極性が低い成分が少なくなる。抽出液の再循環速度が高くなると、抽残液流まで運ばれる、その分離ステップのより極性が低い成分が多くなる。
【０１３２】
このことは、例えば本発明の図６に示す特定の実施形態で理解することができる。第一分離ステップで抽出液流を介して収集された液体がその分離ステップで使用したクロマトグラフィー装置に再循環される速度（Ｄ−Ｅ１）は、任意の成分Ａが第一分離ステップで抽残液流まで運ばれる程度（Ｒ１）に影響を及ぼす。
【０１３３】
この実施形態では、典型的には、第一分離ステップで抽出液流を介して収集された液体が第一分離ステップで使用したクロマトグラフィー装置に再循環される速度は、第二分離ステップで抽出液流を介して収集された液体が第二分離ステップで使用したクロマトグラフィー装置に再循環される速度より速い。好ましくは、より極性が高い成分とともにＰＵＦＡ生成物を含む抽残液流は、第一分離ステップから収集されて第二分離ステップで精製され、第一分離ステップで抽出液流を介して収集された液体が第一分離ステップで使用したクロマトグラフィー装置に再循環される速度は、第二分離ステップで抽出液流を介して収集された液体が第二分離ステップで使用したクロマトグラフィー装置に再循環される速度より速い。
【０１３４】
あるいはこの実施形態では、第一分離ステップで抽出液流を介して収集された液体が第一分離ステップで使用したクロマトグラフィー装置に再循環される速度は、第二分離ステップで抽出液流を介して収集された液体が第二分離ステップで使用したクロマトグラフィー装置に再循環される速度より遅い。
【０１３５】
この実施形態では、典型的には、第一分離ステップで抽残液流を介して収集された液体が第一分離ステップで使用したクロマトグラフィー装置に再循環される速度は、第二分離ステップで抽残液流を介して収集された液体が第二分離ステップで使用したクロマトグラフィー装置に再循環される速度より速い。好ましくは、より極性が低い成分とともにＰＵＦＡ生成物を含む抽出液流は、第一分離ステップから収集されて第二分離ステップで精製され、第一分離ステップで抽残液流を介して収集された液体が第一分離ステップで使用したクロマトグラフィー装置に再循環される速度は、第二分離ステップで抽残液流を介して収集された液体が第二分離ステップで使用したクロマトグラフィー装置に再循環される速度より速い。
【０１３６】
あるいはこの実施形態では、第一分離ステップで抽残液流を介して収集された液体が第一分離ステップで使用したクロマトグラフィー装置に再循環される速度は、第二分離ステップで抽残液流を介して収集された液体が第二分離ステップで使用したクロマトグラフィー装置に再循環される速度より遅い。
【０１３７】
この実施形態では、再循環速度が、各分離ステップで供給混合液の異なる成分からＰＵＦＡ生成物を分離できるように調整される実施形態では、各分離ステップで使用する溶離剤の水：有機溶媒比率は、同じでもよいし、異なっていてもよい。典型的には、各分離ステップの溶離剤の水：有機溶媒比率は、０．５：９９．５から５．５：９４．５容積部である。
【０１３８】
典型的には、本実施形態では、各分離ステップで使用する水性有機溶媒の溶離剤は、異なる水：有機溶媒比率を有する。各分離ステップで使用する水：有機溶媒比率は、各分離ステップで供給混合液の異なる成分からＰＵＦＡ生成物を分離できるように好ましくは調整される。
【０１３９】
本実施形態では、各分離ステップで使用する溶離剤の溶離力は、典型的には異なる。好ましくは、第一分離ステップで使用する溶離剤の溶離力は、第二分離ステップで使用する溶離剤の溶離力より大きい。実際には、これは、各分離ステップで使用する水および有機溶媒の相対量を変化させることによって達成される。
【０１４０】
有機溶媒の選択によっては、それらは水よりも強力な脱着試薬であり得る。あるいは、それらは、水よりも強力でない脱着試薬であり得る。例えば、アセトニトリルおよびアルコールは、水よりも強力な脱着試薬である。したがって、水性有機溶媒が水性アルコールまたはアセトニトリルである場合は、第一分離ステップで使用する溶離剤中のアルコールまたはアセトニトリルの量は、第二分離ステップで使用する溶離剤のアルコールまたはアセトニトリルの量より典型的には多い。
【０１４１】
典型的には、本実施形態では、第一分離ステップの溶離剤の水：有機溶媒比率は、第二分離ステップの溶離剤の水：有機溶媒比率より低い。したがって、第一分離ステップの溶離剤は、第二分離ステップの溶離剤よりも多くの有機溶媒、好ましくはアルコール、より好ましくはメタノールを典型的には含む。
【０１４２】
本実施形態では、各分離ステップで使用する水性有機溶媒が異なる水：有機溶媒比率を有する場合は、第一分離ステップの溶離剤の水：有機溶媒比率は、典型的には０：１００から５：９５容積部、好ましくは０．１：９９．９から２．５：９７．５容積部、より好ましくは０．２５：９９．７５から２：９８容積部、最も好ましくは０．５：９９．５から１．５：９８．５容積部である。これらの実施形態では、第二分離ステップの溶離剤の水：有機溶媒比率は、典型的には２：９８から８：９２容積部、好ましくは３：９７から７：９３容積部、より好ましくは４：９６から６：９４容積部、さらにより好ましくは４．５：９５．５から５．５：９４．５容積部である。
【０１４３】
本実施形態では、各分離ステップで使用する水性有機溶媒が異なる水有機溶媒含有量を有する場合は、第一分離ステップの溶離剤の水：有機溶媒比率は、好ましくは０．５：９９．５から１．５：９８．５容積部、および第二分離ステップの溶離剤の水：有機溶媒比率は、好ましくは４．５：９５：５から５．５：９４．５容積部である。
【０１４４】
上記で言及した各分離ステップの水と有機溶媒の比率は、クロマトグラフィー装置全体の平均比率であることが認識されるであろう。
【０１４５】
典型的には、本実施形態では、各分離ステップの溶離剤の水：有機溶媒比率は、分離ステップで使用するクロマトグラフィー装置の１個または複数のカラムに、水および／または有機溶媒を導入することによって制御される。したがって、例えば、第二分離ステップよりも低い、第一分離ステップの水：有機溶媒比率を達成するためには、典型的には、第一分離ステップで使用するクロマトグラフィー装置に、第二分離ステップよりもゆっくりと水が導入される。
【０１４６】
典型的には、本実施形態では、実質的に純粋な有機溶媒および実質的に純粋な水は、各分離ステップで使用するクロマトグラフィー装置の異なるポイントで導入することができる。これら２つの流れの相対的な流速は、クロマトグラフィー装置の全体的な溶媒プロファイルを決定する。あるいは、本実施形態では、異なる有機溶媒／水混合液を、各分離ステップで使用する各クロマトグラフィー装置の異なるポイントで導入することができる。それは、異なる有機溶媒：水比率を有する２つ以上の異なる有機溶媒／水混合液を、特定の分離ステップで使用するクロマトグラフィー装置に導入することを含む。本実施形態の有機溶媒／水混合液の相対的な流速および相対的な濃度は、その分離ステップで使用するクロマトグラフィー装置の全体的な溶媒プロファイルを決定する。
【０１４７】
この実施形態では、好ましくは、（１）より極性が高い成分とともにＰＵＦＡ生成物を含む中間生成物は、第一分離ステップで抽残液流として収集され、ＰＵＦＡ生成物は、第二分離ステップで抽出液流として収集される、または
（２）より極性が低い成分とともにＰＵＦＡ生成物を含む中間生成物は、第一分離ステップで抽出液流として収集され、ＰＵＦＡ生成物は、第二分離ステップで抽残液流として収集される。
【０１４８】
オプション（１）は、供給混合液からＥＰＡを精製するのに適する。
【０１４９】
オプション（１）を図２に図示する。ＰＵＦＡ生成物（Ｂ）ならびにより極性が高い（Ｃ）およびより極性が低い（Ａ）成分を含む供給混合液Ｆが、第一分離ステップで精製される。第一分離ステップでは、最も極性が低い成分（Ａ）が、抽出液流Ｅ１として除去される。ＰＵＦＡ生成物（Ｂ）およびより極性が高い成分（Ｃ）が、抽残液流Ｒ１として収集される。抽残液流Ｒ１は、次いで第二分離ステップで精製される中間生成物である。第二分離ステップでは、より極性が高い成分（Ｃ）が抽残液流Ｒ２として除去される。ＰＵＦＡ生成物（Ｂ）が、抽出液流Ｅ２として収集される。
【０１５０】
オプション（１）を、図４でより詳細に図示する。図４は、各クロマトグラフィー装置への有機溶媒の脱着剤（Ｄ）および水（Ｗ）の導入ポイントが示されていることを除いて、図２と同じである。有機溶媒の脱着剤（Ｄ）および水（Ｗ）は、共に溶離剤を構成する。（Ｄ）相は典型的には実質的に純粋な有機溶媒であるが、ある種の実施形態では、主に有機溶媒を含む有機溶媒／水の混合液でもよい。（Ｗ）相は典型的には実質的に純粋な水であるが、ある種の実施形態では、主に水を含む有機溶媒／水の混合液、例えば９８％水／２％メタノールの混合液でもよい。
【０１５１】
オプション（１）のさらなる例示を図６に示す。ここでは、別個の水注入ポイントは存在せず、代わりに水性有機溶媒の脱着剤が（Ｄ）で注入される。
【０１５２】
この実施形態では、抽残液および抽出液流への分離は、各クロマトグラフィー装置内の溶離剤の脱着力を変化させることによって促進され得る。これは、溶離剤の有機溶媒（または有機溶媒が豊富な）成分および水（または水が豊富な）成分を各クロマトグラフィー装置の異なるポイントで導入することによって実現することができる。したがって、典型的には、システムにおける溶離剤の流れに対して、有機溶媒は、抽出液分岐ポイントの上流で導入され、水は、抽出液分岐ポイントとクロマトグラフィー装置への供給物の導入ポイントとの間で導入される。このことを図４に示す。
【０１５３】
典型的には、本実施形態では、第一分離ステップで使用する水性有機溶媒の溶離剤は、第二分離ステップで使用する溶離剤より多くの有機溶媒を含む。すなわち、第一ステップの水：有機溶媒比率は、第二ステップの水：有機溶媒比率より低い。
【０１５４】
この実施形態では、分離は、第一および第二分離ステップで抽出液および抽残液流を介して収集された液体がその分離ステップで使用したクロマトグラフィー装置に再循環される速度を変化させることによって促進され得る。
【０１５５】
典型的には、この実施形態では、第一分離ステップで抽出液流を介して収集された液体が第一分離ステップで使用したクロマトグラフィー装置に再循環される速度は、第二分離ステップで抽出液流を介して収集された液体が第二分離ステップで使用したクロマトグラフィー装置に再循環される速度より速い。
【０１５６】
この実施形態では、第一分離ステップの第一抽残液流は、溶離剤の流れに対して、第一分離ステップで使用するクロマトグラフィー装置に供給混合液を導入するポイントの下流で典型的には除去される。
【０１５７】
この実施形態では、第一分離ステップの第一抽出液流は、溶離剤の流れに対して、第一分離ステップで使用するクロマトグラフィー装置に供給混合液を導入するポイントの上流で典型的には除去される。
【０１５８】
この実施形態では、第二分離ステップの第二抽残液流は、溶離剤の流れに対して、第二分離ステップで使用するクロマトグラフィー装置に中間生成物を導入するポイントの下流で典型的には除去される。
【０１５９】
この実施形態では、第二分離ステップの第二抽出液流は、溶離剤の流れに対して、第二分離ステップで使用するクロマトグラフィー装置に中間生成物を導入するポイントの上流で典型的には収集される。
【０１６０】
典型的には、この実施形態では、有機溶媒または水性有機溶媒は、溶離剤の流れに対して、第一抽出液流を除去するポイントの上流で、第一分離ステップで使用するクロマトグラフィー装置に導入される。
【０１６１】
典型的には、この実施形態では、水が、第一分離ステップで使用するクロマトグラフィー装置に導入される場合は、水は、溶離剤の流れに対して、供給混合液の導入ポイントの上流ではあるが第一抽出液流を除去するポイントの下流で、第一分離ステップで使用するクロマトグラフィー装置に導入される。
【０１６２】
典型的には、この実施形態では、有機溶媒または水性有機溶媒は、溶離剤の流れに対して、第二抽出液流を除去するポイントの上流で、第二分離ステップで使用するクロマトグラフィー装置に導入される。
【０１６３】
典型的には、この実施形態では、水が、第二分離ステップで使用するクロマトグラフィー装置に導入される場合は、水は、溶離剤の流れに対して、中間生成物を導入するポイントの上流ではあるが第二抽出液流を除去するポイントの下流で、第二分離ステップで使用するクロマトグラフィー装置に導入される。
【０１６４】
オプション（２）は、供給混合液からＤＨＡを精製するのに適する。
【０１６５】
オプション（２）を図３に図示する。ＰＵＦＡ生成物（Ｂ）ならびにより極性が高い（Ｃ）およびより極性が低い（Ａ）成分を含む供給混合液Ｆが、第一分離ステップで精製される。第一分離・BR>Xテップでは、より極性が高い成分（Ｃ）が抽残液流Ｒ１として除去される。ＰＵＦＡ生成物（Ｂ）およびより極性が低い成分（Ａ）が、抽出液流Ｅ１として収集される。抽出液流Ｅ１は、次いで第二分離ステップで精製される中間生成物である。第二分離ステップでは、より極性が低い成分（Ａ）が、抽出液流Ｅ２として除去される。ＰＵＦＡ生成物（Ｂ）は、抽残液流Ｒ２として収集される。
【０１６６】
オプション（２）をより詳細に図５に図示する。有機溶媒の脱着剤（Ｄ）および水（Ｗ）の各クロマトグラフィー装置への導入ポイントが示されていることを除いて、図５は、図３と同じである。上記のように、（Ｄ）相は典型的には実質的に純粋な有機溶媒であるが、ある種の実施形態では、主に有機溶媒を含む有機溶媒／水混合液でもよい。（Ｗ）相は典型的には実質的に純粋な水であるが、ある種の実施形態では、主に水を含む有機溶媒／水の混合液、例えば９８％水／２％メタノール混合液でもよい。
【０１６７】
オプション（２）のさらなる例示を図７に示す。ここでは、別個の水注入ポイントは存在せず、代わりに水性有機溶媒の脱着剤が（Ｄ）で注入される。
【０１６８】
典型的には、本実施形態では、第一分離ステップで抽残液流を介して収集された液体が第一分離ステップで使用したクロマトグラフィー装置に再導入される速度は、第二分離ステップで抽残液流を介して収集された液体が第二分離ステップで使用したクロマトグラフィー装置に再導入される速度より速い。
【０１６９】
典型的には、本実施形態では、第一分離ステップで使用する水性有機溶媒の溶離剤は、第二分離ステップで使用する溶離剤より少ない有機溶媒を含む。すなわち、第一分離ステップの水：有機溶媒比率は、第二分離ステップよりも高い。
【０１７０】
本実施形態では、第一分離ステップの第一抽残液流は、溶離剤の流れに対して、第一分離ステップで使用するクロマトグラフィー装置へ供給混合液を導入するポイントの下流で典型的には除去される。
【０１７１】
本実施形態では、第一分離ステップの第一抽出液流は、溶離剤の流れに対して、第一分離ステップで使用するクロマトグラフィー装置へ供給混合液を導入するポイントの上流で典型的には除去される。
【０１７２】
本実施形態では、第二分離ステップの第二抽残液流は、溶離剤の流れに対して、第二分離ステップで使用するクロマトグラフィー装置へ中間生成物を導入するポイントの下流で典型的には除去される。
【０１７３】
本実施形態では、第二分離ステップの第二抽出液流は、溶離剤の流れに対して、第二分離ステップで使用するクロマトグラフィー装置へ中間生成物を導入するポイントの上流で典型的には収集される。
【０１７４】
典型的には、本実施形態では、有機溶媒または水性有機溶媒は、溶離剤の流れに対して、第一抽出液流を除去するポイントの上流で、第一分離ステップで使用するクロマトグラフィー装置に導入される。
【０１７５】
典型的には、本実施形態では、水が、第一分離ステップで使用するクロマトグラフィー装置に導入される場合は、水は、溶離剤の流れに対して、供給混合液の導入ポイントの上流ではあるが第一抽出液流を除去するポイントの下流で、第一分離ステップで使用するクロマトグラフィー装置に導入される。
【０１７６】
典型的には、本実施形態では、有機溶媒または水性有機溶媒は、溶離剤の流れに対して、第二抽出液流を除去するポイントの上流で、第二分離ステップで使用するクロマトグラフィー装置に導入される。
【０１７７】
典型的には、本実施形態では、水が、第二分離ステップで使用するクロマトグラフィー装置に導入される場合は、水は、溶離剤の流れに対して、中間生成物を導入するポイントの上流ではあるが第二抽出液流を除去するポイントの下流で、第二分離ステップで使用するクロマトグラフィー装置に導入される。
【０１７８】
この実施形態では、第一および第二分離ステップで使用する各擬似または実移動床式クロマトグラフィー装置は、好ましくは８個のクロマトグラフィーカラムからなる。これらは、カラム１から８と称される。各装置では、８個のカラムは、カラム１の底部がカラム２の頂部に連結し、カラム２の底部がカラム３の頂部に連結し、．．．など．．．、カラム８の底部がカラム１の頂部に連結するように、連続して配置される。こうした連結は、場合によっては保持容器を介して、再循環流を次のカラムに入れてもよい。このシステムを通じての溶離剤の流れは、カラム１からカラム２、カラム２からカラム３などである。このシステムを通じての吸着剤の有効な流れは、カラム８からカラム７、カラム７からカラム６などである。
【０１７９】
このことを図８に図示する。ＰＵＦＡ生成物（Ｂ）ならびにより極性が高い（Ｃ）およびより極性が低い（Ａ）成分を含む供給混合液Ｆは、第一分離ステップで使用するクロマトグラフィー装置のカラム５の頂部に導入される。有機溶媒の脱着剤は、第一分離ステップで使用するクロマトグラフィー装置のカラム１の頂部に導入される。水は、第一分離ステップで使用するクロマトグラフィー装置のカラム４の頂部に導入される。第一分離ステップでは、より極性が低い成分（Ａ）は、抽出液流Ｅ１としてカラム２の底部から除去される。ＰＵＦＡ生成物（Ｂ）およびより極性が高い成分（Ｃ）は、抽残液流Ｒ１としてカラム７の底部から除去される。抽残液流Ｒ１は、次いで第二分離ステップで使用するクロマトグラフィー装置にカラム５の頂部で導入されることによって第二分離ステップで精製される、中間生成物である。有機溶媒の脱着剤は、第二分離ステップで使用するクロマトグラフィー装置のカラム１の頂部に導入される。水は、第二分離ステップで使用するクロマトグラフィー装置のカラム４の頂部に導入される。第二分離ステップでは、より極性が高い成分（Ｃ）は、抽残液流Ｒ２としてカラム７の底部で除去される。ＰＵＦＡ生成物（Ｂ）は、抽出液流Ｅ２としてカラム２の底部で収集される。
【０１８０】
この実施形態では、有機溶媒は、第一分離ステップで使用するクロマトグラフィー装置のカラム１の頂部に典型的には導入される。
【０１８１】
この実施形態では、水は、第一分離ステップで使用するクロマトグラフィー装置のカラム４の頂部に導入される。
【０１８２】
この実施形態では、有機溶媒は、第二分離ステップで使用するクロマトグラフィー装置のカラム１の頂部に典型的には導入される。
【０１８３】
この実施形態では、有機溶媒は、第二分離ステップで使用するクロマトグラフィー装置のカラム４の頂部に典型的には導入される。
【０１８４】
この実施形態では、供給流は、第一分離ステップで使用するクロマトグラフィー装置のカラム５の頂部に典型的には導入される。
【０１８５】
この実施形態では、第一抽残液流は、第一分離ステップで使用するクロマトグラフィー装置のカラム７の底部から、中間生成物として典型的には収集される。この中間生成物は、次いで第二分離ステップで精製され、第二分離ステップで使用するクロマトグラフィー装置のカラム５の頂部に典型的には導入される。第一抽残液流は、第二分離ステップで精製される前に、場合によっては容器に収集されてもよい。
【０１８６】
この実施形態では、第一抽出液流は、第一分離ステップで使用するクロマトグラフィー装置のカラム２の底部から、典型的には除去される。第一抽出液流は、場合によっては容器に収集され、第一分離ステップで使用したクロマトグラフィー装置のカラム３の頂部に再導入されてもよい。
【０１８７】
この実施形態では、第二抽出液流は、第二分離ステップで使用するクロマトグラフィー装置のカラム７の底部から、典型的には除去される。
【０１８８】
この実施形態では、第二抽出液流は、第二分離ステップで使用するクロマトグラフィー装置のカラム２の底部から典型的には収集される。この第二抽出液流は、精製されたＰＵＦＡ生成物を典型的には含む。第二抽出液流は、場合によっては容器に収集され、第二分離ステップで使用するクロマトグラフィー装置のカラム３の頂部に再導入されてもよい。
【０１８９】
この実施形態では、使用する溶離剤は、典型的には水性アルコール、好ましくは水性メタノールである。水：アルコール比率は、典型的には０．５：９９．５から６：９４容積部である。
【０１９０】
典型的には、本実施形態では、第一分離ステップで使用するクロマトグラフィー装置の水：有機溶媒比率は、第二分離ステップで使用するクロマトグラフィー装置の水：有機溶媒比率より低い。したがって、第一分離ステップの溶離剤は、第二分離ステップで使用する溶離剤より多くの有機溶媒を典型的には含む。
【０１９１】
本実施形態では、第一分離ステップの水：有機溶媒比率は、典型的には０．５：９９．５から１．５：９８．５容積部である。第二分離ステップの水：有機溶媒比率は、典型的には２：９８から６：９４容積部である。
【０１９２】
この実施形態では、図８の実施形態は図１０ａに示すように構成されるが、図１０ｂおよび１０ｃに示す構成を、本実施形態で使用することもできる。
【０１９３】
この実施形態も図９に図示する。ＰＵＦＡ生成物（Ｂ）ならびにより極性が高い（Ｃ）およびより極性が低い（Ａ）成分を含む供給混合液Ｆが、第一分離ステップで使用するクロマトグラフィー装置のカラム５の頂部に導入される。水性有機溶媒の脱着剤が、第一分離ステップで使用するクロマトグラフィー装置のカラム１の頂部に導入される。第一分離ステップでは、より極性が低い成分（Ａ）が、抽出液流Ｅ１としてカラム２の底部から除去される。ＰＵＦＡ生成物（Ｂ）およびより極性が高い成分（Ｃ）が、抽残液流Ｒ１としてカラム７の底部から除去される。抽残液流Ｒ１は、第二分離ステップで使用するクロマトグラフィー装置のカラム４の頂部に導入されることによって第二分離ステップで精製される、中間生成物である。水性有機溶媒の脱着剤が、第二分離ステップで使用するクロマトグラフィー装置のカラム１の頂部に導入される。第二分離ステップでは、より極性が高い成分（Ｃ）が、抽残液流Ｒ２としてカラム７の底部で除去される。ＰＵＦＡ生成物（Ｂ）は、抽出液流Ｅ２としてカラム２の底部で収集される。
【０１９４】
この実施形態では、水性有機溶媒は、第一分離ステップで使用するクロマトグラフィー装置のカラム１の頂部に典型的には導入される。
【０１９５】
この実施形態では、水性有機溶媒は、第二分離ステップで使用するクロマトグラフィー装置のカラム９の頂部に典型的には導入される。
【０１９６】
この実施形態では、供給流は、第一分離ステップで使用するクロマトグラフィー装置のカラム５の頂部に典型的には導入される。
【０１９７】
この実施形態では、第一抽残液流は、第一分離ステップで使用するクロマトグラフィー装置のカラム７の底部から中間生成物として典型的には収集される。この中間生成物は、次いで第二分離ステップで精製され、第二分離ステップで使用するクロマトグラフィー装置のカラム５の頂部に典型的には導入される。第一抽残液流は、第二分離ステップで精製される前に、場合によっては容器に収集されてもよい。
【０１９８】
この実施形態では、第一抽出液流は、第一分離ステップで使用するクロマトグラフィー装置のカラム２の底部から典型的には除去される。第一抽出液流は、場合によっては容器に収集され、一部が、第一分離ステップで使用するクロマトグラフィー装置のカラム３の頂部に再導入されてもよい。第一分離ステップで抽出液流を介して収集された液体の、第一分離ステップで使用するクロマトグラフィー装置へ戻される再循環の速度は、液体が、この容器からカラム３の頂部にポンプで注入される速度である。
【０１９９】
この実施形態では、第二抽残液流は、第一分離ステップで使用するクロマトグラフィー装置のカラム７の底部から、典型的には除去される。
【０２００】
この実施形態では、第二抽出液流は、第一分離ステップで使用するクロマトグラフィー装置のカラム２の底部から典型的には収集される。この第二抽出液流は、精製されたＰＵＦＡ生成物を典型的には含む。第二抽出液流は、場合によっては容器に収集され、一部が、第一分離ステップで使用するクロマトグラフィー装置のカラム３の頂部に再導入されてもよい。第二分離ステップから抽出液流を介して収集された液体の、第二分離ステップで使用するクロマトグラフィー装置に戻される再循環の速度は、液体が、この容器からカラム３の頂部にポンプで注入される速度である。
【０２０１】
この実施形態では、使用する溶離剤は、典型的には水性アルコール、好ましくは水性メタノールである。水：アルコール比率は、典型的には０．５：９９．５から６：９４容積部である。
【０２０２】
典型的には、本実施形態では、第一分離ステップで使用するクロマトグラフィー装置の水：有機溶媒比率は、第二分離ステップで使用するクロマトグラフィー装置の水：有機溶媒比率より低い。したがって、第一分離ステップで使用する溶離剤は、第二分離ステップで使用する溶離剤より多くの有機溶媒を典型的には含む。
【０２０３】
本実施形態では、第一分離ステップの水：有機溶媒比率は、典型的には０．５：９９．５から１．５：９８．５容積部である。第二分離ステップの水：有機溶媒比率は、典型的には２：９８から６：９４容積部である。
【０２０４】
この実施形態では、第一分離ステップから抽出液流を介して収集された液体が第一分離ステップで使用したクロマトグラフィー装置に再循環される速度は、第二分離ステップから抽出液流を介して収集された液体が第二分離ステップで使用したクロマトグラフィー装置に再循環される速度より典型的には速い。この場合、水性有機溶媒の溶離剤は典型的には、各分離ステップで実質的に同じである。
【０２０５】
この実施形態では、図９の実施形態は図１０ａに示すように構成されるが、図１０ｂおよび１０ｃに示す構成を、本実施形態で使用することもできる。
【０２０６】
さらなる実施形態では、本発明の方法は、溶離剤として水性アルコールを含む複数の連結したクロマトグラフィーカラムを有する擬似または実移動床式クロマトグラフィー装置に供給混合液を導入することを含み、装置が、少なくとも第一ゾーンおよび第二ゾーンを含む複数のゾーンを有し、各ゾーンが、前記複数の連結したクロマトグラフィーカラムから液体が収集され得る抽出液流および抽残液流を有し、（ａ）より極性が高い成分とともにＰＵＦＡ生成物を含む抽残液流が第一ゾーンのカラムから収集され、第二ゾーンの隣接していないカラムに導入され、かつ／または（ｂ）より極性が低い成分とともにＰＵＦＡ生成物を含む抽出液流が第二ゾーンのカラムから収集され、第一ゾーンの隣接していないカラムに導入され、前記ＰＵＦＡ生成物は各ゾーンで供給混合液の異なる成分から分離され、複数の連結したクロマトグラフィーカラムのうちの少なくとも１個の温度は５５℃を超える、方法である。
【０２０７】
このさらなる実施形態では、用語「ゾーン」は、溶離剤として水性アルコールを含み、供給混合液流に対する１つまたは複数の注入ポイント、水および／またはアルコールに対する１つまたは複数の注入ポイント、前記複数の連結したクロマトグラフィーカラムから液体が収集され得る抽残液分岐流ならびに前記複数の連結したクロマトグラフィーカラムから液体が収集され得る抽出液分岐流を有する、複数の連結したクロマトグラフィーカラムを指す。典型的には、各ゾーンは、供給混合液に対する注入ポイントを１つだけ有する。一実施形態では、各ゾーンは、水性アルコール溶離剤に対する注入ポイントを１つだけ有する。別の実施形態では、各ゾーンは、水および／またはアルコールに対する注入ポイントを２つ以上有する。
【０２０８】
このさらなる実施形態では、実質的に全ての複数の連結したクロマトグラフィーカラムの温度は、典型的には５５℃を超える。このさらなる実施形態では、全ての複数の連結したクロマトグラフィーカラムの温度は、好ましくは５５℃を超える。
【０２０９】
このさらなる実施形態では、複数の連結したクロマトグラフィーカラムのうちの少なくとも１個の温度は、典型的には５６℃以上、好ましくは５７℃以上である。
【０２１０】
典型的には、このさらなる実施形態では、複数の連結したクロマトグラフィーカラムのうちの少なくとも１個の温度は、１００℃まで、好ましくは９５℃まで、より好ましくは９０℃まで、さらにより好ましくは８５℃まで、さらにより好ましくは８０℃まで、さらにより好ましくは７５℃まで、さらにより好ましくは７０℃までである。
【０２１１】
典型的には、このさらなる実施形態では、複数の連結したクロマトグラフィーカラムのうちの少なくとも１個の温度は、５６から７０℃、好ましくは５６から６７℃、より好ましくは５６から６５℃、さらにより好ましくは５７から６３℃である。
【０２１２】
このさらなる実施形態は、その全体が参照によって本明細書に組み込まれるＰＣＴ／ＧＢ１０／００２３３９に記載されている方法に関する。ＰＣＴ／ＧＢ１０／００２３３９に明記される好ましいプロセス条件は、このさらなる実施形態のための好ましいプロセス条件であり、ＰＣＴ／ＧＢ１０／００２３３９から組み込むことができる。
【０２１３】
このさらなる実施形態を図１１で図示する。ＰＵＦＡ生成物（Ｂ）ならびにより極性が高い（Ｃ）およびより極性が低い（Ａ）成分を含む供給混合液Ｆが、第一ゾーンのカラム５の頂部に導入される。水性アルコール脱着剤が、第一ゾーンのカラム１の頂部に導入される。第一ゾーンでは、より極性が低い成分（Ａ）が、抽出液流Ｅ１としてカラム２の底部から除去される。ＰＵＦＡ生成物（Ｂ）およびより極性が高い成分（Ｃ）が、抽残液流Ｒ１としてカラム７の底部から除去される。次いで、抽残液流Ｒ１が、カラム１２の頂部で第二ゾーンに導入される。水性アルコール脱着剤が、第二ゾーンのカラム９の頂部に導入される。第二ゾーンでは、より極性が高い成分（Ｃ）が、抽残液流Ｒ２としてカラム１４の底部で除去される。ＰＵＦＡ生成物（Ｂ）が、抽出液流Ｅ２としてカラム１０の底部で収集される。
【０２１４】
このさらなる実施形態では、水性アルコールは、第一ゾーンのカラム１の頂部に典型的には導入される。
【０２１５】
このさらなる実施形態では、水性アルコールは、第二ゾーンのカラム９の頂部に典型的には導入される。
【０２１６】
このさらなる実施形態では、供給流は、第一ゾーンのカラム５の頂部に典型的には導入される。
【０２１７】
このさらなる実施形態では、第一抽残液流は、典型的には、第一ゾーンのカラム７の底部から収集され、第二ゾーンのカラム１２の頂部に導入される。第一抽残液流は、カラム１２に導入される前に、場合によっては容器に収集されてもよい。
【０２１８】
このさらなる実施形態では、第一抽出液流は、第一ゾーンのカラム２の底部から典型的には除去される。第一抽出液流は、場合によっては容器に収集され、一部が、第一ゾーンのカラム３の頂部に再導入されてもよい。第一ゾーンから抽出液流を介して収集された液体の、第一ゾーンへの再循環の速度は、液体が、この容器からカラム３の頂部にポンプで注入される速度である。
【０２１９】
このさらなる実施形態では、第二抽残液流は、第二ゾーンのカラム１４の底部から典型的には除去される。
【０２２０】
このさらなる実施形態では、第二抽出液流は、第二ゾーンのカラム１０の底部から典型的には収集される。この第二抽出液流は、精製されたＰＵＦＡ生成物を典型的には含む。第二抽出液流は、場合によっては容器に収集され、一部が、第二ゾーンのカラム１１の頂部に再導入されてもよい。第二ゾーンから抽出液流を介して収集された液体の、第二ゾーンへの再循環の速度は、液体が、この容器からカラム１１の頂部にポンプで注入される速度である。
【０２２１】
このさらなる実施形態では、第一ゾーンから抽出液流を介して収集された液体が第一ゾーンに再循環される速度は、第二ゾーンから抽出液流を介して収集された液体が第二ゾーンに再循環される速度より典型的には速い。
【０２２２】
このさらなる実施形態では、水性アルコール溶離剤は、典型的には、各ゾーンで実質的に同じものである。
【０２２３】
さらに他の実施形態では、本発明の方法は、供給混合液から多価不飽和脂肪酸（ＰＵＦＡ）生成物を回収するためのクロマトグラフィー分離方法以外であって、溶離剤として水性アルコールを含む複数の連結したクロマトグラフィーカラムを有する擬似または実移動床式クロマトグラフィー装置に供給混合液を導入することを含み、装置が、少なくとも第一ゾーンおよび第二ゾーンを含む複数のゾーンを有し、各ゾーンが、前記複数の連結したクロマトグラフィーカラムから液体が収集され得る抽出液流および抽残液流を有し、（ａ）より極性が高い成分とともにＰＵＦＡ生成物を含む抽残液流が、第一ゾーンのカラムから収集され、第二ゾーンの隣接していないカラムに導入され、かつ／または（ｂ）より極性が低い成分とともにＰＵＦＡ生成物を含む抽出液流が、第二ゾーンのカラムから収集され、第一ゾーンの隣接していないカラムに導入され、前記ＰＵＦＡ生成物が、各ゾーンで供給混合液の異なる成分から分離され、全ての複数の連結したクロマトグラフィーカラムの温度が、４０℃または５５℃である、方法である。
【０２２４】
このさらに他の実施形態では、用語「ゾーン」は、上記で定義された通りである。
【０２２５】
典型的には、このさらに他の実施形態では、複数の連結したクロマトグラフィーカラムのうちの少なくとも１個の温度は、４０℃または５５℃である。好ましくは、このさらに他の実施形態では、この方法は、１５から５５℃、より好ましくは２０から４０℃、さらにより好ましくは約３０℃、すなわち、典型的には室温で行われる。
【０２２６】
典型的には、このさらに他の実施形態では、本発明の方法は、供給混合液から多価不飽和脂肪酸（ＰＵＦＡ）生成物を回収するためのクロマトグラフィー分離方法以外であって、溶離剤として水性アルコールを含む複数の連結したクロマトグラフィーカラムを有する擬似または実移動床式クロマトグラフィー装置に供給混合液を導入することを含み、装置が少なくとも第一ゾーンおよび第二ゾーンを含む複数のゾーンを有し、各ゾーンが、前記複数の連結したクロマトグラフィーカラムから液体が収集され得る抽出液流および抽残液流を有し、（ａ）より極性が高い成分とともにＰＵＦＡ生成物を含む抽残液流が、第一ゾーンのカラムから収集され、第二ゾーンの隣接していないカラムに導入され、かつ／または（ｂ）より極性が低い成分とともにＰＵＦＡ生成物を含む抽出液流が、第二ゾーンのカラムから収集され、第一ゾーンの隣接していないカラムに導入され、前記ＰＵＦＡ生成物が、各ゾーンで供給混合液の異なる成分から分離される方法である。
【０２２７】
したがって、好ましくはこのさらに他の実施形態では、本発明の方法は、ＰＣＴ／ＧＢ１０／００２３３９に記載されている以外のものである。
【０２２８】
さらに別の実施態様では、供給混合液が通過するクロマトグラフィーカラムのうちの少なくとも１個の温度は、４０℃または５５℃以外である。
【０２２９】
このさらに別の実施形態では、供給混合液が通過する全てのクロマトグラフィーカラムの温度は、典型的には４０℃または５５℃以外、好ましくは約４０℃または５５℃以外、より好ましくは３９．５から４０．５℃または５４．５から５５．５℃以外である。
【０２３０】
実際には、本発明の方法は、通常、コンピューターによって制御される。したがって、本発明は、本明細書で定義したようにクロマトグラフィー装置を制御するためのコンピュータープログラムであって、実行時に、装置に指示して本発明の方法を実施させるコード手段を含むコンピュータープログラムを提供する。
【０２３１】
本発明はまた、供給混合液から多価不飽和脂肪酸（ＰＵＦＡ）生成物を回収するためのクロマトグラフィー分離方法における、１個もしくは複数の加熱クロマトグラフィーカラムおよび／または加熱溶離剤および／または加熱供給混合液の使用を提供し、この方法は、溶離剤として水性有機溶媒を含む１個または複数のクロマトグラフィーカラムで供給混合液を精製して、（ａ）分離方法で使用する溶離剤の量を低減し、かつ／または（ｂ）供給混合液に存在する様々な成分の分離方法における分解能を改善することを含む。
【０２３２】
典型的には、クロマトグラフィーカラムのうちの少なくとも１個および／または加熱溶離剤および／または加熱供給混合液は、本明細書で定義した温度に加熱される。
【０２３３】
典型的には、本発明はまた、供給混合液から多価不飽和脂肪酸（ＰＵＦＡ）生成物を回収するためのクロマトグラフィー分離方法における加熱溶離剤の使用を提供し、この方法は、溶離剤として水性有機溶媒を含む１個または複数のクロマトグラフィーカラムで供給混合液を精製し、（ａ）分離方法で使用する溶離剤の量を低減し、かつ／または（ｂ）供給混合液に存在する様々な成分の分離方法における分解能を改善することを含む。
【０２３４】
本発明はまた、供給混合液から多価不飽和脂肪酸（ＰＵＦＡ）生成物を回収するためのクロマトグラフィー分離方法であって、供給混合液を、溶離剤として水性有機溶媒を含む１個または複数の加熱クロマトグラフィーカラムを通過させることを含み、供給混合液が通過するクロマトグラフィーカラムのうちの少なくとも１個の温度が室温を超え、および／または溶離剤の温度および／または供給混合液の温度が室温を超え、１個または複数の加熱クロマトグラフィーカラムによって、（ａ）分離方法で使用する溶離剤の量の低減、および／または（ｂ）供給混合液に存在する様々な成分の分離方法における分解能の改善が可能になる方法を提供する。
【０２３５】
典型的には、クロマトグラフィーカラムのうちの少なくとも１個は、本明細書で定義された温度に加熱される。
【０２３６】
好ましくは、溶離剤は、本明細書で定義された温度に加熱される。
【０２３７】
典型的には、本方法は、本明細書に記載された方法である。
【０２３８】
典型的には、本発明の方法では、室温を超える温度の少なくとも１個のクロマトグラフィーカラムによって、（ａ）分離方法で使用する溶離剤の量の低減および／または（ｂ）供給混合液に存在する様々な成分の分離方法における分解能の改善が可能になる。
【０２３９】
本発明はまた、本発明の方法によって得られるＰＵＦＡ生成物を含む組成物を提供する。
【０２４０】
以下の実施例は、本発明を例示するものである。
実施例
【実施例１】
【０２４１】
図１１に概略的に図示するシステムによって、固定相として結合Ｃ１８シリカゲル（粒径３００μｍ）および溶離剤として（９０：１０ｗ／ｗメタノール：水）水性メタノールを用いる実移動床式クロマトグラフィーシステムを使用して、魚油に由来する供給原料（５５重量％ＥＰＡ  ＥＥ、５重量％ＤＨＡ  ＥＥ）を分画する。１５個のカラム（直径：２２ｍｍ、長さ：３００ｍｍ）は、図１１に示すように連続してつながる。脱着剤を６０℃の温度にあらかじめ加熱して、約６０℃のカラム温度にした。
【０２４２】
動作パラメーターおよび流速は以下の通りである。以下の条件の場合には、ＥＰＡ  ＥＥは、高水準の純度（ＧＣ  ＦＡＭＥＳによれば９９％）で生成される。ＥＰＡ生成物のＧＣ  ＦＡＭＥＳトレースを図１２として示す。
【０２４３】
ステップ時間：６００秒
供給原料（Ｆ）の供給速度：０．５ｍｌ／分
第一ゾーンにおける脱着剤の供給速度（Ｄ１）：３３ｍｌ／分
第一ゾーンにおける抽出液の速度（Ｅ１）：７ｍｌ／分
第一ゾーンにおける抽出液の再循環速度（Ｄ１−Ｅ１）：２６ｍｌ／分
第一ゾーンにおける抽残液の速度（Ｒ１）：８ｍｌ／分
第二ゾーンにおける脱着剤の供給速度（Ｄ２）：３４ｍｌ／分
第二ゾーンにおける抽出液の速度（Ｅ２）：１０ｍｌ／分
第二ゾーンにおける抽出液の再循環速度（Ｄ２−Ｅ２）：２４ｍｌ／分
第二ゾーンにおける抽残液の速度（Ｒ２）：８ｍｌ／分
【実施例２】
【０２４４】
魚油に由来する供給原料（５５重量％ＥＰＡ  ＥＥ、５重量％ＤＨＡ  ＥＥ）を、図１０に概略的に図示するシステムによって、固定相として結合Ｃ１８シリカゲル（粒径３００μｍ）および溶離剤として水性メタノール（９８：２ｗ／ｗメタノール：水）を用いる実移動床式クロマトグラフィーシステムを使用して分画する。分離１は、図１０に示すように連続してつながった８個のカラム（直径：７６．２９ｍｍ、長さ：９１４．４０ｍｍ）からなる。分離１からの中間抽残液を単離および分離し、上記と同じ配列のカラムを使用して、分離２を実施した。脱着剤を４０℃の温度にあらかじめ加熱し、約４０℃のカラム温度にした。
【０２４５】
動作パラメーターおよび流速は以下の通りである。以下の条件の場合には、ＥＰＡ  ＥＥは、高水準の純度（ＧＣ  ＦＡＭＥＳによれば９８％）で生成される。ＥＰＡ生成物のＧＣ  ＦＡＭＥＳトレースを図１３として示す。
【０２４６】
ステップ時間：１２００秒
供給原料（Ｆ）の供給速度：３５ｍｌ／分
第一ステップにおける脱着剤の供給速度（Ｄ１）：２２７０ｍｌ／分
第一ステップにおける抽出液の速度（Ｅ１）：１３２０ｍｌ／分
第一ステップにおける抽出液の再循環速度（Ｄ１−Ｅ１）：９５０ｍｌ／分
第一ステップにおける抽残液の速度（Ｒ１）：９５０ｍｌ／分
第二ステップにおける脱着剤の供給速度（Ｄ２）：１５１０ｍｌ／分
第二ステップにおける抽出液の速度（Ｅ２）：８５０ｍｌ／分
第二ステップにおける抽出液の再循環速度（Ｄ２−Ｅ２）：６６０ｍｌ／分
第二ステップにおける抽残液の速度（Ｒ２）：６７０ｍｌ／分
【実施例３】
【０２４７】
いくつかの一般的な脂肪酸の保持時間を、水性メタノール溶離剤およびＣ１８シリカ吸着剤を使用して、固定床式クロマトグラフィー装置で測定した。例えば、ステアリドン酸（ＳＤＡ）、エイコサペンタエン酸（ＥＰＡ）、ドコサヘキサエン酸（ＤＨＡ）およびオレイン酸（ＯＡ）の保持時間を測定し、メタノールの温度および濃度を変化させた。以下の表は、様々な脂肪酸についての絶対保持時間および（ＥＰＡと比較した）相対保持時間を示す。
【０２４８】
表１、３および５の絶対保持時間から、全体的な実施時間は、上昇した温度ではるかに短いこと、すなわち、高温では、溶媒消費がより少なく、よりハイスループットであることを理解することができる。
【０２４９】
表２、４および６の相対保持時間から、温度上昇は、より密接に関わる成分（ＤＨＡ）よりも、より極性が低い不純物（ＯＡ）の相対保持時間に対して、より大きな効果があることを理解することができる。例えば、５％の水では、（ＥＰＡに対する）ＯＡの相対保持時間は、１８℃の１．９１から７０℃の１．６３に減少する一方、（ＥＰＡに対する）ＤＨＡの相対保持時間は１８℃の１．１９から７０℃の１．１５に減少する。同様の効果が、２％の水および１０％の水をそれぞれ使用して試験を実施する場合に見られる。
【０２５０】
これは、密接に関わる成分の分解能の改善（例えばＤＨＡからＥＰＡ）は水分含有量を増大させることによって達成することができるが、高温で行われる場合は、溶媒消費がより少なく、よりハイスループットであることを意味する。
【０２５１】
【表１】
0006602821.tif 000002
【０２５２】
【表２】
0006602821.tif 000003
【０２５３】
【表３】
0006602821.tif 000004
【０２５４】
【表４】
0006602821.tif 000005
【０２５５】
【表５】
0006602821.tif 000006
【０２５６】
【表６】
0006602821.tif 000007
【符号の説明】
【０２５７】
Ａ  より極性が低い成分
Ｂ  ＰＵＦＡ生成物
Ｃ  より極性が高い成分
Ｄ  脱着剤、脱着剤の導入ポイント
Ｅ１  抽出液流
Ｅ２  抽出液流
Ｒ１  抽残液流
Ｒ２  抽残液流
Ｆ  供給混合液
Ｗ  水 
【図１】
0006602821.tif 000008
【図２】
0006602821.tif 000009
【図３】
0006602821.tif 000010
【図４】
0006602821.tif 000011
【図５】
0006602821.tif 000012
【図６】
0006602821.tif 000013
【図７】
0006602821.tif 000014
【図８】
0006602821.tif 000015
【図９】
0006602821.tif 000016
【図１０】
0006602821.tif 000017
【図１１】
0006602821.tif 000018
【図１２】
0006602821.tif 000019
【図１３】
0006602821.tif 000020